(57)【特許請求の範囲】
【請求項１】
車両であって、
右旋回時に前記車両の右方に傾斜し、左旋回時に前記車両の左方へ傾斜可能な車体フレームと、
前記車体フレームの左右方向に並べて配置された右前輪および左前輪と、
下部に前記右前輪を支持し、上部に対する前記右前輪の前記車体フレームの上下方向における変位を緩衝する右懸架装置と、
下部に前記左前輪を支持し、上部に対する前記左前輪の前記車体フレームの上下方向における変位を緩衝する左懸架装置と、
前記右懸架装置の上部を前記車体フレームの上下方向に延びる右操舵軸線回りに回転可能に支持する右サイド部と、
前記左懸架装置の上部を前記右操舵軸線と平行な左操舵軸線回りに回転可能に支持する左サイド部と、
前記右サイド部の上部を右端部に前記車体フレームの前後方向に延びる上右軸線回りに回転可能に支持し、前記左サイド部の上部を左端部に前記上右軸線に平行な上左軸線回りに回転可能に支持し、中間部が前記車体フレームに前記上右軸線および前記上左軸線に平行な上中間軸線回りに回転可能に支持される上クロス部と、
前記右サイド部の下部を右端部に前記上右軸線に平行な下右軸線回りに回転可能に支持し、前記左サイド部の下部を左端部に前記上左軸線に平行な下左軸線回りに回転可能に支持し、中間部が前記車体フレームに前記上中間軸線と平行な下中間軸線回りに回転可能に支持される下クロス部と、を含むリンク機構と、
光源を含み、車両前方に光を照射可能なヘッドランプと、
前記ヘッドランプ、前記上クロス部、前記下クロス部の右側面、左側面、上面の少なくとも一部を覆う車体カバーと、
を有する車両であって、
前記ヘッドランプの少なくとも一部は、前記車両が直立した状態で、前記右前輪の右端より左方かつ前記左前輪の左端より右方に配置され、前記車両の側面視において、前記下クロス部の前端より前方で、前記右前輪および前記左前輪の上端より上方、かつ、前記車体フレームの上下方向について前記下クロス部の上端より下方に配置され、
前記ヘッドランプおよび前記車体カバーで構成される車両前部について、
前記車両前部の前縁は、前記車両が直立した状態で、前記車両の側面視において、前端から前記上クロス部より上方かつ前記下クロス部の前端より後方まで延びており、
前記車両前部の前記前端は、前記車両が直立した状態で、前記右前輪の右端より左方かつ前記左前輪の左端より右方に位置し、前記車両の側面視において、前記下クロス部の前端より前方で、前記右前輪および前記左前輪の上端より上方、かつ、前記車体フレームの上下方向について前記下クロス部の上端より下方に位置している、車両。
【請求項２】
前記車両前部の右端および左端は、前記車両が直立した状態で、前記車両の平面視において、前記下クロス部の前端より後方に位置している、請求項１に記載の車両。
【請求項３】
前記車両前部の前記右端および前記左端は、前記車両が直立した状態で、前記車両の平面視において、前記上クロス部の前端より後方に位置する、請求項２に記載の車両。
【請求項４】
前記車両前部の前記右端および前記左端は、前記車両が直立した状態で、前記車両の平面視において、前記下クロス部の後端より後方に位置する、請求項３に記載の車両。
【請求項５】
前記車両前部の前記右端および前記左端は、前記車両が直立した状態で、前記車両の平面視において、前記上クロス部の後端より後方に位置する、請求項４に記載の車両。
【請求項６】
前記車両前部の前記前端は、前記車両が直立した状態で、前記車両の側面視において、前記右前輪および前記左前輪の前端より後方に位置している、請求項１から５のいずれか一項に記載の車両。
【請求項７】
前記ヘッドランプの少なくとも一部は、前記車両が直立した状態で、前記車両の側面視において、前記車体フレームの上下方向について前記下クロス部の下端より上方に位置している、請求項１から６のいずれか一項に記載の車両。
【請求項８】
前記ヘッドランプの少なくとも一部は、前記車両が直立した状態で、前記車両の側面視において、前記右前輪および前記左前輪の回転軸線より前方に位置している、請求項１から７のいずれか一項に記載の車両。
【請求項９】
前記ヘッドランプの前記光源を覆うアウタカバーの少なくとも一部は、前記車両の側面視で、前記車両前部の前記前縁の一部を形成する、請求項１から８のいずれか一項に記載の車両。
【請求項１０】
前記車両前部は、前記車両の平面視で、前記車両前部の右端と左端から前記ヘッドランプに向かって先細りとなる形状とされている、請求項１から９のいずれか一項に記載の車両。
【請求項１１】
前記右前輪および前記左前輪の少なくとも一方に制動力を作用させる制動装置と、
複数のブレーキ液の流路を備えてブレーキ液の流れる前記流路を切り替えて前記制動装置の動作を制御する流体ユニットと、
を有し、
前記流体ユニットの少なくとも一部が、前記車両が直立した状態において、鉛直方向に沿って前記ヘッドランプと並ぶように設けられている、請求項１から１０のいずれか一項に記載の車両。
【請求項１２】
前記流体ユニットの少なくとも一部が、前記車両が直立した状態で、前記車両の正面視において、前記ヘッドランプと前記上クロス部との間に設けられている、請求項１１に記載の車両。
【請求項１３】
前記車両前部の前記前縁は、前記車両が直立した状態で、前記車両の側面視において、前記ヘッドランプの上方に位置する部位の水平面に対する傾斜角が、該部位より上方に位置する部位の水平面に対する傾斜角よりも小さい形状とされている、請求項１から１２のいずれか一項に記載の車両。
【請求項１４】
前記車両が直立した状態で、前記車両の正面視において、前記車両前部の前記前端から前記下クロス部の前記上端までの鉛直方向の距離が、前記下クロス部の前記上端から前記車両前部の前記上端までの鉛直方向の距離より小さい、請求項１３に記載の車両。
【請求項１５】
前記ヘッドランプは、前記車両前部の右縁の一部を形成するアウタカバーを備えた右ヘッドランプと、前記車両前部の左縁の一部を形成するアウタカバーを備えた左ヘッドランプと、を有し、
前記車両前部の前記前端は、前記車両の平面視において、前記右ヘッドランプの前記アウタカバーと前記左ヘッドランプの前記アウタカバーとの間に位置する、請求項１から１４のいずれか一項に記載の車両。
【請求項１６】
前記右前輪および前記左前輪の少なくとも一方に制動力を作用させる制動装置と、
複数のブレーキ液の流路を備えてブレーキ液の流れる前記流路を切り替えて前記制動装置の動作を制御する流体ユニットと、
を有し、
前記流体ユニットの少なくとも一部が、前記車両が直立した状態で、前記車両の平面視において、前記右ヘッドランプと前記左ヘッドランプとの間に配置されている、請求項１５に記載の車両。
【発明の詳細な説明】
【技術分野】
【０００１】
この発明は、傾斜可能な車体フレームと２つの前輪を備えた車両に関する。
【背景技術】
【０００２】
右旋回時に車両の右方に傾斜し、左旋回時に車両の左方に傾斜する車体フレームと、２つの前輪とを備えた車両が知られている（例えば、特許文献１および非特許文献１を参照）。【０００３】
特許文献１および非特許文献１に記載された傾斜可能な車体フレームと２つの前輪を備えた車両は、上クロス部および下クロス部を含むリンク機構と、ヘッドランプとを備えている。この車両の車両前部の輪郭は、少なくとも、このリンク機構の少なくとも一部を覆う車体カバーと、ヘッドランプにより形作られている。
【先行技術文献】
【特許文献】
【０００４】
【特許文献１】米国意匠547,242号公報
【非特許文献】
【０００５】
【非特許文献１】Catalogo partidi ricambio, MP3 300 ie LT Mod. ZAPM64102, Piaggio社
【発明の概要】
【発明が解決しようとする課題】
【０００６】
特許文献１および非特許文献１に記載の傾斜可能な車体フレームと２つの前輪を備えた車両において、リンク機構の下クロス部の前端は上クロス部より前方に位置している。このため、上クロス部の前方には、リンク機構が動作してもリンク機構の部材が通過しない空間がある。【０００７】
特許文献１および非特許文献１に記載の傾斜可能な車体フレームと２つの前輪を備えた車両においては、ヘッドランプの少なくとも一部が車体カバーの内方に設けられている。ヘッドランプは、光源と、光源から前方に離れた位置に設けられたアウタカバーを含み、前後方向に長い装置である。この前後方向に長いヘッドランプが、この上クロス部の前方の空間を使って配置されている。つまり、特許文献１および非特許文献１は、デッドスペースとなっていた上クロス部の前方の空間を使ってヘッドランプを配置するという合理的な発想に基づき、車両前部をコンパクトに構成することにより車両前部のボリューム感の低減を図っている。【０００８】
一方、一般的には、車両前部の前縁を、その前端と上端とが滑らかに接続された形状に造形すると、空気抵抗を低減しやすい。そこで、特許文献１および非特許文献１に記載の傾斜可能な車体フレームと２つの前輪を備えた車両において、車両前部の前端は、側面視において、前輪より前方の位置まで突き出されている。これにより、車両前部の前縁はこの前端と上クロス部より上方に位置する上端とが滑らかに接続された形状とされている。これにより、特許文献１および非特許文献１は、空気抵抗の低減を図っている。【０００９】
ところで、特許文献１および非特許文献１に記載の傾斜可能な車体フレームと２つの前輪を備えた車両においては、上述したように、下クロス部の前端は上クロス部より前方に位置し、前後方向に長いヘッドランプが上クロス部の前方に配置されている。このため、前後方向について、ヘッドランプの前端と下クロス部の前端が互いの近くに位置する。このため、側面視で、車両前部の前縁の一部であって上下方向についてヘッドランプが占める領域に位置する部位（以降、ヘッドライト領域前縁部と呼ぶ）と、車両前部の前縁のうち下クロス部の前方に位置する部位とを結ぶ部位は、垂直に切り立った形状となりやすく、空気抵抗が大きくなりやすい。
より詳細には、特許文献１および非特許文献１に記載の傾斜可能な車体フレームと２つの前輪を備えた車両においては、車両前部の上端に近い上クロス部の前方に前後方向に長いヘッドランプが位置している。このため、車両前部の前縁は、上端からヘッドランプ領域前縁部までの部位の水平面に対する傾斜角が小さく、ヘッドランプ領域前縁部から前端までの部位の水平面に対する傾斜角が大きい、屈曲した形状となりやすい。このため、車両前部の前縁のうち、ヘッドランプ領域前縁部から前端までの部位の空気抵抗が大きくなりやすい。
そこで、特許文献１および非特許文献１に記載の傾斜可能な車体フレームと２つの前輪を備えた車両においては、ヘッドランプ領域前縁部の下部を前輪の前方まで延長し、車両前部の前端を前輪の前方に位置させて車両前部の前縁を直線的な形状とし、これにより、空気抵抗を低減している。しかし、車両前部の前端を前輪の前方まで延ばした結果、車両前部のボリューム感が大きくなりやすい。
このように、特許文献１および非特許文献１のように、（ａ）上クロス部の前方のデッドスペースを使ってヘッドランプを配置することによりボリューム感を低減しようとする発想と、（ｂ）車両前部の前縁を前端と上端とが滑らかに接続された形状に造形することにより空気抵抗の低減を図ろうとする発想、とを組み合わせると、結果的に、空気抵抗は低減できるもののボリューム感が大きくなってしまう。【００１０】
そこで本発明は、空気抵抗を低減しつつ、よりボリューム感が低減された、ヘッドランプが車体カバーの内部に配置された車両を提供することを目的とする。
【課題を解決するための手段】
【００１１】
（１）  上記の目的を達成するために、本発明がとりうる一態様は、車両であって、
右旋回時に前記車両の右方に傾斜し、左旋回時に前記車両の左方へ傾斜可能な車体フレームと、
前記車体フレームの左右方向に並べて配置された右前輪および左前輪と、
下部に前記右前輪を支持し、上部に対する前記右前輪の前記車体フレームの上下方向における変位を緩衝する右懸架装置と、
下部に前記左前輪を支持し、上部に対する前記左前輪の前記車体フレームの上下方向における変位を緩衝する左懸架装置と、
前記右懸架装置の上部を前記車体フレームの上下方向に延びる右操舵軸線回りに回転可能に支持する右サイド部と、
前記左懸架装置の上部を前記右操舵軸線と平行な左操舵軸線回りに回転可能に支持する左サイド部と、
前記右サイド部の上部を右端部に前記車体フレームの前後方向に延びる上右軸線回りに回転可能に支持し、前記左サイド部の上部を左端部に前記上右軸線に平行な上左軸線回りに回転可能に支持し、中間部が前記車体フレームに前記上右軸線および前記上左軸線に平行な上中間軸線回りに回転可能に支持される上クロス部と、
前記右サイド部の下部を右端部に前記上右軸線に平行な下右軸線回りに回転可能に支持し、前記左サイド部の下部を左端部に前記上左軸線に平行な下左軸線回りに回転可能に支持し、中間部が前記車体フレームに前記上中間軸線と平行な下中間軸線回りに回転可能に支持される下クロス部と、を含むリンク機構と、
光源を含み、車両前方に光を照射可能なヘッドランプと、
前記ヘッドランプ、前記上クロス部、前記下クロス部の右側面、左側面、上面の少なくとも一部を覆う車体カバーと、
を有する車両であって、
前記ヘッドランプの少なくとも一部は、前記車両が直立した状態で、前記右前輪の右端より左方かつ前記左前輪の左端より右方に配置され、前記車両の側面視において、前記下クロス部の前端より前方で、前記右前輪および前記左前輪の上端より上方、かつ、前記車体フレームの上下方向について前記下クロス部の上端より下方に配置され、
前記ヘッドランプおよび前記車体カバーで構成される車両前部について、
前記車両前部の前縁は、前記車両が直立した状態で、前記車両の側面視において、前端から前記上クロス部より上方かつ前記下クロス部の前端より後方まで延びており、
前記車両前部の前記前端は、前記車両が直立した状態で、前記右前輪の右端より左方かつ前記左前輪の左端より右方に位置し、前記車両の側面視において、前記下クロス部の前端より前方で、前記右前輪および前記左前輪の上端より上方、かつ、前記車体フレームの上下方向について前記下クロス部の上端より下方に位置している。【００１２】
本発明者らは、上述したように、特許文献１および非特許文献１のように、（ａ）および（ｂ）の発想を組み合わせても、空気抵抗の低減とボリューム感の低減とを両立させにくいことに気が付いた。そこで本発明者らは、前後方向に長いヘッドランプをあえて下クロス部の前方の空間を使って配置し、ヘッドランプを配置した領域の近くに車両前部の前端を位置させる構成を検討し、本発明を完成させた。【００１３】
一見したところ、特許文献１および非特許文献１を考慮すると、その前端が上クロス部より前方に位置する下クロス部の前方の空間に前後方向に長いヘッドランプを配置すると、車両前部が前後方向に大型化するように思われる。また、車両前部の前端を右前輪および左前輪の上端より上方に位置させると、車両前部の前縁を滑らかな直線状の形状にしにくく、空気抵抗を低減しにくいように思われる。
しかし、本発明者らは、ヘッドランプを下クロス部の上端より下方に位置させて、それにより車両前部の前端を下方かつ前方に突き出す形状とすることにより、空気抵抗を低減しつつ車両前部のボリューム感を低減できることに気が付き、本発明を完成させた。【００１４】
すなわち、本発明に係る傾斜可能な車体フレームと２つの前輪を備えた車両によれば、ヘッドランプの少なくとも一部は、車両が直立した状態で、右前輪の右端より左方かつ左前輪の左端より右方に配置され、車両の側面視において、前記下クロス部の前端より前方で、右前輪および左前輪の上端より上方、かつ、車体フレームの上下方向について下クロス部の上端より下方に配置されている。
つまり、特許文献１および非特許文献１に記載の車両に比べて、本発明に係る車両のヘッドランプは下クロス部の上端より下方の低い位置に設けられている。ヘッドランプは前後方向に長いため、車両前部の前縁のうちヘッドランプ領域前縁部をより低くかつ前方の領域に位置させることができる。【００１５】
なお、本発明に係る車両においては、車両前部の前端がヘッドランプ領域前端部で構成される場合（ヘッドランプの前端が車両前部のうち最も前方に位置する場合）と、車両前部の前端がヘッドランプ領域前縁部より前方に位置する場合（ヘッドランプより前方に車体カバーの一部が位置する場合）がある。【００１６】
また、本発明に係る車両によれば、ヘッドランプおよび車体カバーで構成される車両前部について、車両前部の前縁は、車両が直立した状態で、車両の側面視において、前端から上クロス部より上方かつ下クロス部の前端より後方まで延びている。さらに、車両前部の前端は、車両が直立した状態で、前記右前輪の右端より左方かつ前記左前輪の左端より右方に位置し、車両の側面視において、前記下クロス部の前端より前方で、右前輪および左前輪の上端より上方、かつ、車体フレームの上下方向について下クロス部の上端より下方に位置している。【００１７】
本発明に係る車両によれば、車両前部の前端は、ヘッドランプの少なくとも一部が配置される領域である、右前輪と左前輪の上端より上方、かつ、下クロス部の上端より下方の領域に配置されている。【００１８】
本発明に係る車両においては、上述したように、車両の側面視で、車両前部の前縁のうちヘッドランプ領域前縁部はより低くかつ前方の領域に位置されている。さらに、車両前部の前端はこのヘッドランプ領域前縁部と同じかそれより前方に位置するため、車両前部の前端を低くかつより前方の領域に位置させることができる。つまり、車両前部の前端を、上端に対して、前方かつ下方に大きく離間した位置に配置することができる。このため、上端から前端にかけて、車両前部の前縁を、滑らかに連続する直線状の形状としやすい。【００１９】
また、車両前部の前端が右前輪および左前輪の上端より上方に位置しているので、車両前部が上下方向にコンパクトな形状とされ、車両前部のボリューム感が低減されている。さらに、車両前部の前端は、下クロス部の前端より前方で、右前輪および左前輪の上端より上方、かつ、車体フレームの上下方向について下クロス部の上端より下方に位置している。つまり、車両前部を、その前端が低い位置で前方に突き出す形状にしやすい。このため、車両に搭乗したユーザの目に近い部位を小さくしやすく、よりボリューム感を小さくしやすい。【００２０】
以上の理由により、空気抵抗を低減しつつ、車両前部のボリューム感がより低減された、ヘッドランプが車体カバーの内部に配置された車両が提供される。【００２１】
上記本発明に係る車両において、以下の構成としてもよい。
（２）  前記車両前部の右端および左端は、前記車両が直立した状態で、前記車両の平面視において、前記下クロス部の前端より後方に位置している。【００２２】
車両の平面視においても、車両前部の前端が右端および左端より前方に突き出た形状となり、空気抵抗を低減しつつ、より車両前部のボリューム感が低減されている。【００２３】
上記本発明に係る車両において、以下の構成としてもよい。
（３）  前記車両前部の前記右端および前記左端は、前記車両が直立した状態で、前記車両の平面視において、前記上クロス部の前端より後方に位置している。【００２４】
車両の平面視においても、車両前部の前端が右端および左端よりさらに前方に突き出た形状となり、空気抵抗を低減しつつ、より車両前部のボリューム感が低減されている。【００２５】
上記本発明に係る車両において、以下の構成としてもよい。
（４）  前記車両前部の前記右端および前記左端は、前記車両が直立した状態で、前記車両の平面視において、前記下クロス部の後端より後方に位置している。【００２６】
車両の平面視においても、車両前部の前端が右端および左端よりさらに前方に突き出た形状となり、空気抵抗を低減しつつ、より車両前部のボリューム感が低減されている。【００２７】
上記本発明に係る車両において、以下の構成としてもよい。
（５）  前記車両前部の前記右端および前記左端は、前記車両が直立した状態で、前記車両の平面視において、前記上クロス部の後端より後方に位置している。【００２８】
車両の平面視においても、車両前部の前端が右端および左端よりさらに前方に突き出た形状となり、空気抵抗を低減しつつ、より車両前部のボリューム感が低減されている。【００２９】
上記本発明に係る車両において、以下の構成としてもよい。
（６）  前記車両前部の前記前端は、前記車両が直立した状態で、前記車両の側面視において、前記右前輪および前記左前輪の前端より後方に位置している。【００３０】
上述したように、車両前部の前縁が滑らかな直線状の形状とされつつ、車両前部の前後方向が短くなり、車両前部のボリューム感がより低減されている。【００３１】
上記本発明に係る車両において、以下の構成としてもよい。
（７）  前記ヘッドランプの少なくとも一部は、前記車両が直立した状態で、前記車両の側面視において、前記車体フレームの上下方向について前記下クロス部の下端より上方に位置している。【００３２】
ヘッドランプの少なくとも一部が下クロス部の下端より上方に位置するので、車体フレームが傾斜した場合でも、ヘッドランプが前輪と干渉しにくい。車両前部の小さい空気抵抗およびコンパクトさを維持しつつ、前輪と干渉しにくいヘッドランプを備えた車両が提供される。【００３３】
上記本発明に係る車両において、以下の構成としてもよい。
（８）  前記ヘッドランプの少なくとも一部は、前記車両が直立した状態で、前記車両の側面視において、前記右前輪および前記左前輪の回転軸線より前方に位置している。【００３４】
ヘッドランプの少なくとも一部が右前輪および左前輪の回転軸線の回転軸線より前方に位置するので、車両前部の前縁のうちヘッドランプの前方の部位およびそれより前方に位置する前端をより前方に位置させることができる。これにより、車両前部を、前端がさらに前方に突き出した形状としやすく、空気抵抗が小さく、かつ、車両前部のボリューム感の小さい車両が提供される。【００３５】
上記本発明に係る車両において、以下の構成としてもよい。
（９）  前記ヘッドランプの前記光源を覆うアウタカバーの少なくとも一部は、前記車両の側面視で、前記車両前部の前記前縁の一部を形成する。【００３６】
透明または半透明のアウタカバーの少なくとも一部が車両前部の前縁の一部を形成するので、車両の側面視で、車両前部の一部が切り欠かれたような印象を与えることができ、さらに車両前部のボリューム感が低減された車両を提供できる。【００３７】
上記本発明に係る車両において、以下の構成としてもよい。
（１０）  前記車両前部は、前記車両の平面視で、前記車両前部の右端と左端から前記ヘッドランプに向かって先細りとなる形状とされている。【００３８】
車両の平面視においても、車両前部の前端が右端および左端より前方に突き出た先細り形状（テーパ形状）となり、空気抵抗を低減しつつ、車両前部のボリューム感がより低減されている。【００３９】
上記本発明に係る車両において、以下の構成としてもよい。
（１１）  前記右前輪および前記左前輪の少なくとも一方に制動力を作用させる制動装置と、
複数のブレーキ液の流路を備えてブレーキ液の流れる前記流路を切り替えて前記制動装置の動作を制御する流体ユニットと、
を有し、
前記流体ユニットの少なくとも一部が、前記車両が直立した状態において、鉛直方向に沿って前記ヘッドランプと並ぶように設けられている。【００４０】
いずれも重たい装置である、ヘッドランプと流体ユニットの少なくとも一部が、鉛直方向に沿って並んで配置されているため、左右方向及び前後方向について重量バランスをとりやすい。【００４１】
上記本発明に係る車両において、以下の構成としてもよい。
（１２）  前記流体ユニットの少なくとも一部が、前記車両が直立した状態で、前記車両の正面視において、前記ヘッドランプと前記上クロス部との間に設けられている。【００４２】
流体ユニットの少なくとも一部がヘッドランプより上方に配置されているため、流体ユニットと右前輪および左前輪との干渉を避けやすい。また、流体ユニットの少なくとも一部が上クロス部より下方に配置されているため、車両の重心が高くなりにくい。これにより、前輪との干渉を避けつつ、車両の重心が高くなりにくい、流体ユニットが搭載された車両が提供される。【００４３】
上記本発明に係る車両において、以下の構成としてもよい。
（１３）  前記車両前部の前記前縁は、前記車両が直立した状態で、前記車両の側面視において、前記ヘッドランプの上方に位置する部位の前記水平面に対する傾斜角が、該部位より上方に位置する部位の水平面に対する傾斜角よりも小さい形状とされている。【００４４】
車両前部の前縁のうち、ヘッドランプの上方に位置する部位が、それより上方に位置する部位よりも、水平面に対する傾斜角が小さいため、車両前部の前縁をより低い位置で前方に突き出す形状としやすい。これにより、空気抵抗がより低減された、車両前部のボリューム感の小さい車両が提供される。【００４５】
上記本発明に係る車両において、以下の構成としてもよい。
（１４）  前記車両が直立した状態で、前記車両の正面視において、前記車両前部の前記前端から前記下クロス部の前記上端までの鉛直方向の距離が、前記下クロス部の前記上端から前記車両前部の前記上端までの鉛直方向の距離より小さい。【００４６】
車両前部の前端から下クロス部の上端までの部位は、上下方向について、下クロス部の上端から車両前部の上端までの部位より下方に位置する。車両前部の下部に位置する、車両前部の前端から下クロス部の上端までの部位が鉛直方向に小さく形成されているため、車両前部の前方に突き出す部位を小さくでき、車両前部のボリューム感が低減されている。【００４７】
上記本発明に係る車両において、以下の構成としてもよい。
（１５）  前記ヘッドランプは、前記車両前部の右縁の一部を形成するアウタカバーを備えた右ヘッドランプと、前記車両前部の左縁の一部を形成するアウタカバーを備えた左ヘッドランプと、を有し、
前記車両前部の前記前端は、前記車両の平面視において、前記右ヘッドランプの前記アウタカバーと前記左ヘッドランプの前記アウタカバーとの間に位置する。【００４８】
車両の平面視においても、車両前部の前端が右端および左端より前方に突き出た形状となり、空気抵抗を低減しつつ、車両前部のボリューム感がより低減されている。【００４９】
上記本発明に係る車両において、以下の構成としてもよい。
（１６）  前記右前輪および前記左前輪の少なくとも一方に制動力を作用させる制動装置と、
複数のブレーキ液の流路を備えてブレーキ液の流れる前記流路を切り替えて前記制動装置の動作を制御する流体ユニットと、
を有し、
前記流体ユニットの少なくとも一部が、前記車両が直立した状態で、前記車両の平面視において、前記右ヘッドランプと前記左ヘッドランプとの間に配置されている。【００５０】
いずれも重たい装置である、流体ユニット、右ヘッドランプ、左ヘッドランプについて、流体ユニットの少なくとも一部が右ヘッドランプと左ヘッドランプの間に配置されているので、左右方向について重量バランスをとりやすい。
【図面の簡単な説明】
【００５１】
【図１】本発明の第１実施形態に係る車両の全体側面図である。
【図２】図１の車両前部の正面図である。
【図３】図１の車両前部の平面図である。
【図４】図１の車両を転舵させた状態の車両前部の平面図である。
【図５】図１の車両を傾斜させた状態の車両前部の正面図である。
【図６】図１の車両を転舵させかつ傾斜させた状態の車両前部の正面図である。
【図７】車両前部の構造を示す車両の正面図である。
【図８】（ａ）は図７に示した車両の側面図であり、（ｂ）は図７に示した車両の平面図である。
【図９】本発明の第２実施形態に係る車両の正面図である。
【図１０】（ａ）は図９に示した車両の側面図であり、（ｂ）は図９に示した車両の平面図である。
【発明を実施するための形態】
【００５２】
＜第１実施形態＞
以下、本発明に係る車両の第１実施形態を、添付図面を参照して説明する。
本実施形態では、車両の一例として、二つの前輪と一つの後輪を有する車両を例示する。
【００５３】
〈全体構成〉
図１は、車両１の全体を車両１の左方から見た側面図を示す。以下、図中の矢印Ｆは車両１の前方向を示し、矢印Ｂは車両１の後方向を示す。矢印Ｕは車両１の上方向を示し、矢印Ｄは車両１の下方向を示す。説明において前後左右の方向を示す場合、車両１を運転する乗員から見た前後左右の方向を意味する。上下方向とは、鉛直方向のみならず、鉛直方向から傾いた略上下方向を含むことを意味する。左右方向とは、水平方向のみならず、水平方向から傾いた略左右方向を含むことを意味する。車幅方向中央とは、車両１の車幅方向の中心位置を意味する。車幅方向の右方とは、車幅方向中央から右方に向かう方向を意味する。車幅方向の左方とは、車幅方向中央から左方に向かう方向を意味する。また、車両１の無負荷状態とは、乗員が乗車せず、車両１に燃料を搭載していない状態における、前輪が転舵も傾斜もしていない直立状態を意味する。
【００５４】
図１に示すように、車両１は、車両本体部２と、左右一対の前輪３（図２参照）と、後輪４と、操舵機構７と、リンク機構５とを備えている。車両本体部２は、車体フレーム２１と、車体カバー２２と、シート２４と、パワーユニット２５とを備えている。
【００５５】
車体フレーム２１は、ヘッドパイプ２１１と、ダウンフレーム２１２と、アンダーフレーム２１４と、リアフレーム２１３とを有する。図１では、車体フレーム２１のうち、車体カバー２２に隠れた部分は破線で示している。車体フレーム２１は、パワーユニット２５やシート２４等を支持している。パワーユニット２５は、エンジンあるいは電動モータ等の駆動源と、ミッション装置等を有する。
【００５６】
ヘッドパイプ２１１は、車両１の前部に配置されている。ヘッドパイプ２１１は、車両１の側面視で、下部より上部がやや後方側に位置するように、垂直方向に対してやや傾斜して配置されている。ヘッドパイプ２１１の周囲には、操舵機構７およびリンク機構５が配置されている。ヘッドパイプ２１１には、操舵機構７のステアリングシャフト６０が回転可能に挿入されている。ヘッドパイプ２１１はリンク機構５を支持している。
ヘッドパイプ２１１は車体フレーム２１の一部であり、車両１の右旋回時に車両１の右方に傾斜し、車両１の左旋回時に車両１の左方に傾斜可能とされている。
【００５７】
ダウンフレーム２１２は、ヘッドパイプ２１１に接続されている。ダウンフレーム２１２は、ヘッドパイプ２１１から後方に配置され、上下方向に沿って延びている。ダウンフレーム２１２の下部には、アンダーフレーム２１４が接続されている。アンダーフレーム２１４は、ダウンフレーム２１２の下部から後方へ向けて延びている。アンダーフレーム２１４の後方には、リアフレーム２１３が後方かつ上方へ向けて延びている。リアフレーム２１３は、シート２４、パワーユニット２５およびテールランプ等を支持している。
【００５８】
車体フレーム２１は、車体カバー２２によって覆われている。車体カバー２２は、フロントカバー２２１、左右一対のフロントフェンダー２２３、レッグシールド２２５、センターカバー２２６およびリアフェンダー２２４を有する。
【００５９】
フロントカバー２２１は、シート２４の前方に位置している。フロントカバー２２１は、操舵機構７およびリンク機構５の少なくとも一部を覆っている。フロントカバー２２１は、リンク機構５よりも前方に配置される前部２２１ａを有する。フロントカバー２２１の前部２２１ａは、車両１の無負荷状態の側面視において、前輪３よりも上方に設けられている。フロントカバー２２１の前部２２１ａは、車両１の無負荷状態の側面視において、前輪３の前端よりも後方に配置されている。レッグシールド２２５は、フロントカバー２２１の下方であって、シート２４の前方に配置されている。センターカバー２２６は、リアフレーム２１３の周囲を覆うように配置されている。
【００６０】
左右一対のフロントフェンダー２２３（図２参照）は、フロントカバー２２１の下方であって、左右一対の前輪３の上方にそれぞれ配置されている。リアフェンダー２２４は、後輪４の後部上方に配置されている。
【００６１】
左右一対の前輪３は、無負荷状態で、ヘッドパイプ２１１の下方であってフロントカバー２２１の下方に配置されている。後輪４は、センターカバー２２６とリアフェンダー２２４の下側に配置されている。
【００６２】
〈操舵機構〉
図２は、図１の車両１の前部を正面から見た正面図である。図３は、図１の車両１の前部を上方から見た平面図である。図２および図３では、車体カバー２２を透過させた状態で図示している。
図２および図３に示すように、操舵機構７は、操舵力伝達機構６、左緩衝器３３、右緩衝器３４、および左右一対の前輪３を有する。
【００６３】
左右一対の前輪３は、左前輪３１および右前輪３２を含んでいる。左前輪３１および右前輪３２は、車体フレーム２１の左右方向に並べて配置されている。左前輪３１と右前輪３２は、車幅方向中央に対して左右対称に配置されている。
また、左前輪３１の上方には、左右一対のフロントフェンダー２２３のうち、左フロントフェンダー２２７が配置されている。右前輪３２の上方には、左右一対のフロントフェンダー２２３のうち、右フロントフェンダー２２８が配置されている。左前輪３１は左緩衝器３３に支持されている。右前輪３２は右緩衝器３４に支持されている。
【００６４】
なお、本明細書において「車体フレーム２１の左右方向」とは、車両１の正面視でヘッドパイプ２１１の軸方向に直交する方向を指す。また、車体フレーム２１の上下方向とは、車両１の正面視で、ヘッドパイプ２１１の軸方向に延びる方向を指す。例えば、車体フレーム２１の上下方向は、車両１の正面視で、ヘッドパイプ２１１の軸方向と一致する。図２のように、車両１が直立した状態においては、車両１の正面視で、車体フレーム２１の右方ＲＦと水平方向の右方Ｒが一致する。このため、図２においては水平方向の右方Ｒのみを表示している。図５のように、車両１が路面に対して傾斜した状態においては、車両１の正面視で、車体フレーム２１の右方ＲＦと水平方向の右方Ｒは一致せず、また、車体フレーム２１の上方ＵＦと鉛直方向の上方Ｕは一致しない。
【００６５】
左緩衝器（左懸架装置の一例）３３は、いわゆるテレスコピック式の緩衝器であり、路面からの振動を減衰させる。左緩衝器３３は、下部に左前輪３１を支持し、上部に対する左前輪３１の車体フレーム２１の上下方向における変位を緩衝する。左緩衝器３３は、第１下側部３３ａおよび第１上側部３３ｂを有する。左前輪３１は第１下側部３３ａに支持されている。第１下側部３３ａは、上下方向に延び、その下端側に左車輪軸３１４が支持されている。左車輪軸３１４は、左前輪３１を支持している。左車輪軸３１４は、左前輪３１の回転軸線Ｚ１に沿って延びている。
第１上側部３３ｂは、その一部が第１下側部３３ａに挿入された状態で、第１下側部３３ａの上側に配置されている。第１上側部３３ｂは、第１下側部３３ａの延びる方向において、第１下側部３３ａに対して相対移動可能である。第１上側部３３ｂの上部は、第１ブラケット３１７に固定されている。このようにして、左緩衝器３３は左前輪３１を上下方向に変位可能に支持している。
【００６６】
第１下側部３３ａおよび第１上側部３３ｂは、前後に並列して連結された２つのテレスコピック要素を構成している。それにより、第１下側部３３ａに対して第１上側部３３ｂが相対回転することが抑制されている。
【００６７】
右緩衝器３４（右懸架装置の一例）は、いわゆるテレスコピック式の緩衝器であり、路面からの振動を減衰させる。右緩衝器３４は、下部に右前輪３２を支持し、上部に対する右前輪３２の車体フレーム２１の上下方向における変位を緩衝する。右緩衝器３４は、第２下側部３４ａおよび第２上側部３４ｂを有する。右前輪３２は第２下側部３４ａに支持されている。第２下側部３４ａは、上下方向に延び、その下端側に右車輪軸３２４が支持されている。右車輪軸３２４は、右前輪３２を支持している。右車輪軸３２４は、右前輪３２の回転軸線Ｚ２に沿って延びている。
第２上側部３４ｂは、その一部が第２下側部３４ａに挿入された状態で、第２下側部３４ａの上側に配置されている。第２上側部３４ｂは、第２下側部３４ａの延びる方向において、第２下側部３４ａに対して相対移動可能である。第２上側部３４ｂの上部は、第２ブラケット３２７に固定されている。このようにして、右緩衝器３４は右前輪３２を上下方向に変位可能に支持している。
【００６８】
第２下側部３４ａおよび第２上側部３４ｂは、前後に並列して連結された２つのテレスコピック要素を構成している。それにより、第２下側部３４ａに対して第２上側部３４ｂが相対回転することが抑制されている。
【００６９】
操舵力伝達機構６は、左前輪３１および右前輪３２よりも上方に配置されている。操舵力伝達機構６は、乗員の操舵力を入力する部材として、操舵部材２８を備えている。操舵部材２８は、ステアリングシャフト６０と、ステアリングシャフト６０の上部に連結されたハンドルバー２３とを有する。
ステアリングシャフト６０は、車体フレーム２１の左右方向において、左緩衝器３３および右緩衝器３４の間で、ヘッドパイプ２１１に支持されている。また、ステアリングシャフト６０は、車体フレーム２１の上下方向に延びる中間操舵軸線Ｙ３回りに回転可能である。ステアリングシャフト６０は、その一部がヘッドパイプ２１１に挿入されて略上下方向に延びるように配置され、ヘッドパイプ２１１に対して回転可能である。ステアリングシャフト６０は、乗員によるハンドルバー２３の操作に伴って回転される。
操舵力伝達機構６は、ハンドルバー２３の操作に応じたステアリングシャフト６０の回転に伴い、左緩衝器３３を上下方向に延びる左操舵軸線Ｙ１回りに回転させ、右緩衝器３４を左操舵軸線Ｙ１と平行な右操舵軸線Ｙ２回りに回転させる。
【００７０】
操舵力伝達機構６は、操舵部材２８の他に、第１伝達プレート６１、第２伝達プレート６２、第３伝達プレート６３、第１ジョイント６４、第２ジョイント６５、第３ジョイント６６、タイロッド６７、第１ブラケット３１７および第２ブラケット３２７を有する。操舵力伝達機構６は、乗員がハンドルバー２３を操作する操舵力を、これらの部材を介して第１ブラケット３１７および第２ブラケット３２７に伝達する。
【００７１】
第１伝達プレート６１は、車幅方向中央に配置され、ステアリングシャフト６０に対し相対回転不能に連結されている。第１伝達プレート６１は、ステアリングシャフト６０の回転に伴って回転する。
【００７２】
第２伝達プレート６２は、後述するリンク機構５の左サイド部５３に対して回転可能に連結されている。第２伝達プレート６２は、第１ブラケット３１７に固定されている。第２伝達プレート６２は、第１ブラケット３１７の下方に位置している。第２伝達プレート６２は、第１伝達プレート６１の左側に配置されている。
【００７３】
第３伝達プレート６３は、後述するリンク機構５の右サイド部５４に対して回転可能に連結されている。第３伝達プレート６３は、第１伝達プレート６１を中心として第２伝達プレート６２と左右対称に配置されている。第３伝達プレート６３は、第２ブラケット３２７に固定されている。第３伝達プレート６３は、第２ブラケット３２７の下方に位置している。
【００７４】
第１伝達プレート６１の前部には、第１ジョイント６４が配置されている。第１ジョイント６４は、上下方向に延びる回転軸によって第１伝達プレート６１に対して回転可能に支持されている。第２伝達プレート６２の前部には、第２ジョイント６５が配置されている。第２ジョイント６５は、上下方向に延びる回転軸によって第２伝達プレート６２に対して回転可能に支持されている。第３伝達プレート６３の前部には、第３ジョイント６６が配置されている。第３ジョイント６６は、上下方向に延びる回転軸によって第３伝達プレート６３に対して回転可能に支持されている。第１ジョイント６４、第２ジョイント６５、第３ジョイント６６は、それぞれの前部に、前後方向に延びる軸部を有する。
【００７５】
タイロッド６７は、車幅方向に延びて配置されている。タイロッド６７は、第１ジョイント６４に延びる前部、第２ジョイント６５の前部、第３ジョイント６６の前部で、それぞれ前後方向に延びる軸部に対して回転可能に支持されている。このタイロッド６７は操舵力伝達機構６の一部であり、車体フレーム２１が傾斜したときに、後述する下クロス部５２と平行な関係を保つように移動する。
【００７６】
このように構成された操舵力伝達機構６は、操舵部材２８から伝達された操舵力を、第１伝達プレート６１と第１ジョイント６４を介してタイロッド６７に伝える。これにより、タイロッド６７は左右方向のいずれか一方に変位する。タイロッド６７に伝わった操舵力は、タイロッド６７から第２伝達プレート６２と第２ジョイント６５を介して第１ブラケット３１７に伝わるとともに、タイロッド６７から第３伝達プレート６３と第３ジョイント６６を介して第２ブラケット３２７に伝わる。これにより、第１ブラケット３１７および第２ブラケット３２７は、タイロッド６７が変位した方向に回転する。
【００７７】
〈リンク機構〉
本例では、平行四節リンク（パラレログラムリンクとも呼ぶ）方式のリンク機構５を採用している。
リンク機構５は、ハンドルバー２３より下方に配置されている。リンク機構５は、車体フレーム２１のヘッドパイプ２１１に連結されている。リンク機構５は、車両１の傾斜動作を行うための構成として、上クロス部５１、下クロス部５２、左サイド部５３および右サイド部５４を備えている。また、リンク機構５は、左サイド部５３の下部に接続されて左サイド部５３とともに傾斜する構成として、第１ブラケット３１７と左緩衝器３３を備えている。さらに、リンク機構５は、右サイド部５４の下部に接続されて右サイド部５４とともに傾斜する構成として、第２ブラケット３２７と右緩衝器３４を備えている。
【００７８】
右サイド部５４は、右緩衝器３４の上部を車体フレーム２１の上下方向に延びる右操舵軸線Ｙ２回りに回転可能に支持する。左サイド部５３は、左緩衝器３３の上部を右操舵軸線Ｙ２と平行な左操舵軸線Ｙ１回りに回転可能に支持する。
上クロス部５１は、右サイド部５４の上部を右端部に車体フレーム２１の前後方向に延びる上右軸線Ｅ回りに回転可能に支持し、左サイド部５３の上部を左端部に上右軸線Ｅに平行な上左軸線Ｄ回りに回転可能に支持し、中間部が車体フレーム２１に上右軸線Ｅおよび上左軸線Ｄに平行な上中間軸線Ｃ回りに回転可能に支持される。
下クロス部は、右サイド部５４の下部を右端部に上右軸線Ｅに平行な下右軸線Ｈ回りに回転可能に支持し、左サイド部５３の下部を左端部に上左軸線Ｄに平行な下左軸線Ｇ回りに回転可能に支持し、中間部が車体フレーム２１に上中間軸線Ｃと平行な下中間軸線Ｆ回りに回転可能に支持される。
【００７９】
上クロス部５１は、ヘッドパイプ２１１の前側に配置されて車幅方向に延びた板状の部材５１２を含む。板状の部材５１２は、左右方向の中央に位置する支持部によってヘッドパイプ２１１に支持され、略前後方向に延びる上中間軸線Ｃ回りにヘッドパイプ２１１に対して回転可能である。
上クロス部５１の左端は、連結部によって左サイド部５３に連結されている。上クロス部５１は、略前後方向に延びる上左軸線Ｄ回りに左サイド部５３に対して回転可能である。上クロス部５１の右端は、連結部Ｅによって右サイド部５４に連結されている。上クロス部５１は、略前後方向に延びる上右軸線Ｅ回りに右サイド部５４に対して回転可能である。
【００８０】
下クロス部５２は、支持部によってヘッドパイプ２１１に支持され、略前後方向に延びる下中間軸線Ｆ回りに回転可能である。下クロス部５２は、上クロス部５１よりも下方に配置されている。下クロス部５２は、上クロス部５１と略同じ車幅方向の長さを有し、上クロス部５１と平行に配置されている。
【００８１】
下クロス部５２は、車幅方向に延びた一対の板状の部材５２２，５２２を含む。一対の板状の部材５２２，５２２は、前後方向においてヘッドパイプ２１１を挟み込むように配置されている。一対の板状の部材５２２，５２２同士は、中間部５２３によって一体的に連結されている。中間部５２３は、一対の板状の部材５２２，５２２と一体でも別体でもよい。下クロス部５２の左端は、連結部によって左サイド部５３に連結されている。下クロス部５２は、略前後方向に延びる下左軸線Ｇ回りに左サイド部５３に対して回転可能である。下クロス部５２の右端は、連結部によって右サイド部５４に連結されている。下クロス部５２は、略前後方向に延びる下右軸線Ｈ回りに右サイド部５４に対して回転可能である。
【００８２】
左サイド部５３は、ヘッドパイプ２１１の左側に配置され、ヘッドパイプ２１１の延びる方向と平行に延びている。左サイド部５３は、左前輪３１の上方であって左緩衝器３３よりも上方に配置されている。左サイド部５３は、下部が第１ブラケット３１７に連結され、第１ブラケット３１７に対して左操舵軸線Ｙ１回りに回転可能に取り付けられている。この左サイド部５３は、左緩衝器３３の上部を左操舵軸線Ｙ１回りに回転可能に支持する。
【００８３】
右サイド部５４は、ヘッドパイプ２１１の右側に配置されて、ヘッドパイプ２１１の延びる方向と平行に延びている。右サイド部５４は、右前輪３２の上方であって右緩衝器３４よりも上方に配置されている。右サイド部５４は、下部が第２ブラケット３２７に連結され、第２ブラケット３２７に対して右操舵軸線Ｙ２回りに回転可能に取り付けられている。この右サイド部５４は、右緩衝器３４の上部を右操舵軸線Ｙ２回りに回転可能に支持する。
【００８４】
このように、上クロス部５１、下クロス部５２、左サイド部５３、および右サイド部５４は、上クロス部５１と下クロス部５２が相互に平行な姿勢を保ち、左サイド部５３と右サイド部５４が相互に平行な姿勢を保つように連結されている。
【００８５】
〈操舵動作〉
図４は、車両１の操舵動作を説明するための図であり、車両１を転舵させた状態の車両前部の平面図である。
図４に示すように、ハンドルバー２３が左右方向に回されると、操舵機構７の操舵力伝達機構６が動作し、操舵動作が行われる。ハンドルバー２３が回転されることでステアリングシャフト６０が回転すると、ステアリングシャフト６０の回転に伴って第１伝達プレート６１が回転する。つまり前輪３は、ステアリングシャフト６０の回転に応じて移動する操舵力伝達機構６によって転舵される。
例えば、ステアリングシャフト６０が図４の矢印Ｔの方向に回転すると、第１伝達プレート６１の回転に伴って、タイロッド６７が左後方に移動する。このとき、第１伝達プレート６１は第１ジョイント６４の上下方向に延びる回転軸によって第１ジョイント６４に対して回転し、タイロッド６７は姿勢を維持しながら左後方に移動する。タイロッド６７の左後方への移動に伴って、第２伝達プレート６２および第３伝達プレート６３は、それぞれ左サイド部５３および右サイド部５４回りに、矢印Ｔの方向に回転する。このとき、第２伝達プレート６２は第２ジョイント６５の上下方向に延びる回転軸回りに第２ジョイント６５に対して回転し、第３伝達プレート６３は第３ジョイント６６の上下方向に延びる回転軸回りに第３ジョイント６６に対して回転する。
【００８６】
第２伝達プレート６２および第３伝達プレート６３が矢印Ｔの方向に回転すると、第１ブラケット３１７および第２ブラケット３２７が矢印Ｔの方向に回転する。第１ブラケット３１７および第２ブラケット３２７が矢印Ｔの方向に回転すると、左前輪３１が左緩衝器３３を介して左操舵軸線Ｙ１（図２参照）回りに回転し、右前輪３２が右緩衝器３４を介して右操舵軸線Ｙ２（図２参照）回りに回転する。
【００８７】
〈傾斜動作〉
図５は、車両１の傾斜動作を説明するための図であり、車両１を傾斜させた状態の車両前部の正面図である。
図５に示すように、リンク機構５の作動に伴い車両１は左右方向に傾斜する。リンク機構５の作動とは、リンク機構５における傾斜動作を行うための各部材（上クロス部５１、下クロス部５２、左サイド部５３および右サイド部５４）がそれぞれの連結点を軸として相対回転し、リンク機構５の形状が変化することを意味している。
本例のリンク機構５では、例えば、直立状態において正面視で略長方形状に配置された上クロス部５１、下クロス部５２、左サイド部５３および右サイド部５４が、車両１が傾斜した状態において略平行四辺形に変形している。リンク機構５は、上クロス部５１、下クロス部５２、左サイド部５３および右サイド部５４の相対的な回転動作に連動して傾斜動作を行うことで、左前輪３１および右前輪３２をそれぞれ傾斜させる。
【００８８】
例えば、乗員が車両１を左方に傾斜させると、ヘッドパイプ２１１が垂直方向に対して左方に傾斜する。ヘッドパイプ２１１が傾斜すると、上クロス部５１は上中間軸線Ｃ回りにヘッドパイプ２１１に対して回転し、下クロス部５２は下中間軸線Ｆ回りにヘッドパイプ２１１に対して回転する。すると、上クロス部５１が下クロス部５２よりも左側に移動し、左サイド部５３および右サイド部５４は、ヘッドパイプ２１１と平行な状態を保ったまま、垂直方向に対して傾斜する。左サイド部５３および右サイド部５４が傾斜する際に、左サイド部５３および右サイド部５４は、上クロス部５１および下クロス部５２に対して回転する。したがって、車両１を傾斜させると、左サイド部５３および右サイド部５４の傾斜に伴って、左サイド部５３および右サイド部５４に支持された左前輪３１および右前輪３２は、それぞれ垂直方向に対してヘッドパイプ２１１と平行な状態を保ったまま傾斜する。
【００８９】
また、傾斜動作の際、タイロッド６７は、第１ジョイント６４、第２ジョイント６５、第３ジョイント６６の前後方向の軸部に対してそれぞれ回転する。これにより、タイロッド６７は、車両１が傾斜しても上クロス部５１と下クロス部５２に対して平行な姿勢を保つ。
【００９０】
〈操舵動作と傾斜動作〉
図６は、車両１を転舵させかつ傾斜させた状態の車両前部の正面図である。
図６では、左側に操舵し、左方に傾斜した状態を示している。図６に示す動作時には、操舵動作により左前輪３１および右前輪３２の向きが変更され、傾斜動作により左前輪３１および右前輪３２が車体フレーム２１とともに傾斜される。この状態では、リンク機構５の上クロス部５１、下クロス部５２、左サイド部５３および右サイド部５４が略平行四辺形に変形し、タイロッド６７が左右何れかの操舵した方向（図６では左方）かつ後方に移動する。
【００９１】
＜車両前部の構成＞
次に図７と図８を用いて、車体カバー２２、および車体カバー２２の内部に位置する部材の配置位置について詳しく説明する。図７は、車両１が直立状態でかつ無転舵状態における車両１の車両前部の正面図である。図８の（ａ）は図７に示した車両１の車両前部の側面図であり、図８の（ｂ）はその平面図である。
【００９２】
図７および図８に示すように、車両１は、車両前部を構成する車体カバー部材として、フロントカバー２２１、レッグシールド２２５の上部およびウィンドシールド２２９を備えている。車両前部とは、ヘッドランプ７１と一体的な外観を持つ車両１の前方の部位であり、ヘッドランプ７１と分離されて配置されているフロントフェンダー２２３は、ここで定義される車両前部を構成しない。また本実施形態に係る車両１は、車体カバー２２の内部に灯具を備えている。灯具として、ヘッドランプ７１、ポジションランプ７２、方向指示器７３が設けられている。車体カバー部材は、ヘッドランプ７１、上クロス部５１、下クロス部５２の右側面、左側面、上面の少なくとも一部を覆う。
【００９３】
（灯具）
車両１は、図７に示したように車両１の左右方向の中央部に、車両前方に光を照射可能で光源を含むヘッドランプ７１を備えている。またヘッドランプ７１の上方に、隣接してポジションランプ７２が設けられている。ヘッドランプ７１を点灯することにより、運転者の路面の視認性を高めることができる。ポジションランプ７２を点灯することにより、対向車や歩行者から見た車両１の視認性を高めることができる。
【００９４】
本実施形態の車両１において、ヘッドランプ７１とポジションランプ７２は一つの灯具ユニットとして一体化されている。ヘッドランプ７１とポジションランプ７２は、共通のハウジングおよびアウタレンズ（アウタカバーの一例）とを備えている。
【００９５】
図８の（ａ）に示すように、ヘッドランプ７１とポジションランプ７２のハウジングはフロントカバー２２１の内部に設けられている。ヘッドランプ７１とポジションランプ７２のアウタレンズはフロントカバー２２１から前方に露出されている。
【００９６】
ヘッドランプ７１の内部には、投影レンズ、光源、リフレクタがこの順に前方から後方に向かって並んで配置されている。このため、ヘッドランプ７１は前後方向に長い部材である。ヘッドランプ７１の中の光源およびポジションランプ７２の中の光源からの光は、アウタレンズを介して車両１の前方に出射される。
【００９７】
方向指示器７３は、図７に示すように車両前部の上部の左右に設けられている。方向指示器７３を点灯することにより、周囲の車両１や歩行者などに車両１の進行方向を報知することができる。方向指示器７３は上クロス部５１の上方を前後方向に跨ぐように設けられている。このため、車両１の側方から見たときの方向指示器７３の視認性が高められている。
【００９８】
フロントカバー２２１は、ヘッドランプ７１の左右の側面および上面の少なくとも一部、上クロス部５１の左右側面および上面の少なくとも一部、下クロス部５２の左右側面および上面の少なくとも一部を覆っている。ヘッドランプ７１、ポジションランプ７２および方向指示器７３のアウタレンズがフロントカバー２２１から外部に露出されている。
また本実施形態において、図７に示すように、車両１の正面視においてポジションランプ７２および方向指示器７３は車両１の中央から側方に向かって延びるように形成されており、車両１の正面視で前端が尖った車両前部のボリューム感の小さい外観を呈している。
【００９９】
ヘッドランプ７１は、図８の（ａ）に示したように車両１が直立かつ無転舵状態で、左前輪３１の回転軸線Ｚ１および右前輪３２の回転軸線Ｚ２より前方（補助線Ｉより前方）、かつ上下方向について、左前輪３１および右前輪３２の上端より上方（補助線Ｊより上方）に位置する。補助線Ｉは、回転軸線Ｚ１，Ｚ２を通る鉛直線である。補助線Ｊは、左前輪３１および右前輪３２の上端を通る水平線である。このようにヘッドランプ７１は、車両１の転舵および傾斜時に左前輪３１および右前輪３２と干渉しないように、車両前部の前方側に配置されている。
【０１００】
また上下方向について少なくともヘッドランプ７１の一部は下クロス部５２の上端と下端の間（補助線Ｋと補助線Ｑの間）に位置する。補助線Ｋは、下クロス部５２の上端を通る水平線である。補助線Ｑは、下クロス部５２の下端を通る水平線である。下クロス部５２の前端部は、上クロス部５１より前方に位置している。リンク機構５は、その下部が上部よりも前方に位置するように、傾斜している。その前端が上クロス部５１より前方に位置する下クロス部５２の上端と下端との間に、ヘッドランプ７１の一部が位置しているため、ヘッドランプ７１とリンク機構５とを覆うフロントカバー２２１は、図８の（ａ）に示したように下部が前方に突き出した形状となっている。
【０１０１】
図８の（ｂ）に示したように、ヘッドランプ７１の少なくとも一部は、車両１が直立した状態で、右前輪３２の右端より左方（補助線Ｍより左方）かつ左前輪３１の左端より右方（補助線Ｎより右方）に配置されている。補助線Ｍは右前輪３２の右端を通って前後方向に延びる線である。補助線Ｎは左前輪３１の左端を通って前後方向に延びる線である。
また、図８の（ａ）に示したように、ヘッドランプ７１の少なくとも一部は、車両１の側面視において、下クロス部５２の前端より前方（補助線Ｏより前方）で、右前輪３２および左前輪３１の上端より上方（補助線Ｊより上方）に配置されている。補助線Ｏは、下クロス部５２の前端を通る鉛直線である。
さらに、ヘッドランプ７１の少なくとも一部は、車体フレーム２１の上下方向について下クロス部５２の上端より下方（補助線Ｋより下方）に配置されている。
【０１０２】
（車両前部の外観）
図８の（ａ）に示すように、車両前部のうち最も前方に位置する部位を前端１００と呼ぶ。本実施形態の車両１では、ヘッドランプ７１の下方に位置するフロントカバー２２１の前端が車両前部の前端１００となる。図８の（ａ）に示すように、この前端１００は車両１の側面視で、左前輪３１および右前輪３２の上端よりも上方（補助線Ｊより上方）、かつ、下クロス部５２の上端より下方（補助線Ｋより下方）に位置している。また図８の（ｂ）に示すように、この前端１００は車両１の平面視で、左前輪３１と右前輪３２の間に位置している。すなわち車両前部は、左右方向の中央の下部が前方に突き出た形状とされている。
【０１０３】
また車両１の側面視で見られる車両前部の上部の輪郭を車両前部の上縁と呼ぶ。上縁部は図８の（ａ）に示すように、ヘッドランプ７１のアウタレンズ、ポジションランプ７２のアウタレンズ、フロントカバー２２１およびウィンドシールド２２９から構成されている。車両前部の上縁は車両１の側面視において、前端１００から上クロス部５１の上端より上方、かつ、下クロス部５２の前端より後方まで延びている。
【０１０４】
図８の（ａ）に示したように、ヘッドランプ７１および車体カバー２２で構成される車両前部について、車両前部の前縁は、車両１が直立した状態で、車両１の側面視において、前端１００から上クロス部５１より上方かつ下クロス部５２の前端より後方まで延びている。
車両前部の前端１００は、車両１が直立した状態で、右前輪３２の右端より左方（補助線Ｍより左方）かつ左前輪３１の左端より右方（補助線Ｎより右方）に位置する。また、図８の（ａ）に示すように、車両前部の前端１００は、車両１の側面視において、下クロス部５２の前端より前方（補助線Ｏより前方）で、右前輪３２および左前輪３１の上端より上方（補助線Ｊより上方）に位置する。さらに、車両前部の前端１００は、車体フレーム２１の上下方向について下クロス部５２の上端より下方（補助線Ｋより下方）に位置している。
【０１０５】
図８の（ｂ）に示すように、車両１の平面視で見られる車両前部の左部の輪郭を車両前部の左縁と呼ぶ。また車両１の平面視で見られる車両前部の右部の輪郭を車両前部の右縁と呼ぶ。車両１の左縁および右縁はヘッドランプ７１のアウタレンズ、ポジションランプ７２のアウタレンズおよびフロントカバー２２１により形成されている。
車両１の平面視で車両前部の左縁は、前端１００から上クロス部５１の左端より左方まで延びている。車両前部の左縁の左端１０１が左前輪３１より左方（補助線Ｎより左方）に位置する。また車両前部の左縁の左端１０１は、前後に配列された下クロス部５２のうち前方の下クロス部５２より後方に位置している。さらに車両前部の左縁の左端１０１は上クロス部５１より後方に位置している。
【０１０６】
同様に車両前部の右縁は、前端１００から上クロス部５１の右端より右方まで延びている。車両前部の右縁の右端１０２が右前輪３２より右方（補助線Ｍより右方）に位置する。また車両前部の右縁の右端１０２は、前後に配列された下クロス部５２のうち前方の下クロス部５２より後方に位置している。さらに車両前部の右縁の右端部は上クロス部５１より後方に位置している。
【０１０７】
このように本実施形態に係る車両１は、車両１の平面視においても、前端１００は車両前部の左右方向の中央部において前方に突出しており、この前端１００から上クロス部５１の左右の端部の外側まで延びるように左右の縁部が形成されている。このため車両前部の右縁の右端部と左縁の左端部からヘッドランプ７１に向かって先細りとなるように車両前部が形成されている。つまり車両前部の左右端部の前方部分が切り欠かれた流線型の形状となり、車両前部はボリューム感が小さい形状とされている。また車両前部の左右の端部１０１，１０２が後方側の下クロス部５２の後方に位置しているため、車両１の平面視においても車両１の進行方向に対して車両前部の左縁および右縁のなす角度が小さくなり、空気抵抗の小さい車両１が提供される。
また図８の（ｂ）に示したように、車両前部の左右の端部１０１，１０２を、その前端が下クロス部５２の前端より後方に位置する上クロス部５１よりも後方に位置させると、さらに車両１の進行方向に対して左縁および右縁のなす角度を小さくできるので好ましい。
【０１０８】
本実施形態とは異なり、上クロス部の前方にヘッドランプを配置すると、上クロス部は前方の下クロス部の前端より後方に位置しているため、ヘッドランプの前端と下クロス部の前端との間の前後方向の距離が小さくなってしまう。すると、ヘッドランプのアウタレンズから下クロス部の前方を覆うフロントカバーにかけての車両前部の上縁が車両１の進行方向に対して大きな角度となってしまう。これにより、車両前部が直方体状の形状となって、車両前部のボリューム感が大きくなってしまう。また、空気抵抗が大きくなってしまう。
これに対して上述した本実施形態に係る車両１によれば、前方の一部が切り欠かれた流線型の形状とされており、空気抵抗が低減されつつ、車両前部のボリューム感が小さくされている。
【０１０９】
（流体ユニット）
図７および図８の（ａ）および（ｂ）において、符号８０は流体ユニットを示す。流体ユニット８０は金属製の部材である。流体ユニット８０の内部には、複数の流路が形成されている。流体ユニット８０は、いわゆるＡＢＳ（Ａｎｔｉｌｏｃｋ−Ｂｒａｋｅ  Ｓｙｓｔｅｍ）装置の一構成要素である。流体ユニット８０は、ブレーキ液を流す流路を切り替えることにより、前輪および後輪の制動装置の動作を制御する。制動装置は、図８の（ａ）に示すように、前輪３とともに回転するブレーキディスク７１１と、ブレーキディスク７１１の回転を制動するブレーキキャリパ７１２を有する。
【０１１０】
この流体ユニット８０の少なくとも一部は、図７および図８の（ｂ）に示すように、車幅方向の中央部において、ヘッドランプ７１と鉛直方向に並ぶように設けられている。ヘッドランプ７１および流体ユニット８０はともに重量が大きい。このため、ヘッドランプ７１と流体ユニット８０とを左右方向の中央で鉛直方向に並んで設けたことにより、車両１の重量バランスが左右方向に偏らず、重量バランスを取りやすい。
【０１１１】
またこの流体ユニット８０の少なくとも一部は、図７に示すように車両１の正面視で、ヘッドランプ７１と上クロス部５１との間に設けられている。流体ユニット８０を上クロス部５１の上端よりも下方に設けることにより、車両１の重心を低くすることができる。
【０１１２】
（効果）
特許文献１および非特許文献１に記載の傾斜可能な車体フレームと２つの前輪を備えた車両においては、ヘッドランプの少なくとも一部が車体カバーの内方に設けられている。ヘッドランプは、光源と、光源から前方に離れた位置に設けられたアウタカバーを含み、前後方向に長い装置である。この前後方向に長いヘッドランプが、この上クロス部の前方の空間を使って配置されている。つまり、特許文献１および非特許文献１は、デッドスペースとなっていた上クロス部の前方の空間を使ってヘッドランプを配置するという合理的な発想に基づき、車両前部をコンパクトに構成することにより車両前部のボリューム感の低減を図っている。
【０１１３】
一方、一般的には、車両前部の前縁を、その前端と上端とが滑らかに接続された形状に造形すると、空気抵抗を低減しやすい。そこで、特許文献１および非特許文献１に記載の傾斜可能な車体フレームと２つの前輪を備えた車両において、車両前部の前端は、側面視において、前輪より前方の位置まで突き出されている。これにより、車両前部の前縁はこの前端と上クロス部より上方に位置する上端とが滑らかに接続された形状とされている。これにより、特許文献１および非特許文献１は、空気抵抗の低減を図っている。
ところが、特許文献１および非特許文献１に記載の傾斜可能な車体フレームと２つの前輪を備えた車両においては、上述したように、下クロス部の前端は上クロス部より前方に位置し、前後方向に長いヘッドランプが上クロス部の前方に配置されている。このため、前後方向について、ヘッドランプの前端と下クロス部の前端が互いの近くに位置する。このため、側面視で、車両前部の前縁の一部であって上下方向についてヘッドランプが占める領域に位置する部位（以降、ヘッドライト領域前縁部と呼ぶ）と、車両前部の前縁のうち下クロス部の前方に位置する部位とを結ぶ部位は、垂直に切り立った形状となりやすく、空気抵抗が大きくなりやすい。
より詳細には、特許文献１および非特許文献１に記載の傾斜可能な車体フレームと２つの前輪を備えた車両においては、車両前部の上端に近い上クロス部の前方に前後方向に長いヘッドランプが位置している。このため、車両前部の前縁は、上端からヘッドランプ領域前縁部までの部位の水平面に対する傾斜角が小さく、ヘッドランプ領域前縁部から前端までの部位の水平面に対する傾斜角が大きい、屈曲した形状となりやすい。このため、車両前部の前縁のうち、ヘッドランプ領域前縁部から前端までの部位の空気抵抗が大きくなりやすい。
【０１１４】
そこで、特許文献１および非特許文献１に記載の傾斜可能な車体フレームと２つの前輪を備えた車両においては、ヘッドランプ領域前縁部の下部を前輪の前方まで延長し、車両前部の前端を前輪の前方に位置させて車両前部の前縁を直線的な形状とし、これにより、空気抵抗を低減している。しかし、車両前部の前端を前輪の前方まで延ばした結果、車両前部のボリューム感が大きくなりやすい。
【０１１５】
つまり、本発明者らは、特許文献１および非特許文献１のように、（ａ）上クロス部の前方のデッドスペースを使ってヘッドランプを配置することによりボリューム感を低減しようとする発想と、（ｂ）車両前部の前縁を前端と上端とが滑らかに接続された形状に造形することにより空気抵抗の低減を図ろうとする発想とを組み合わせても、空気抵抗の低減とボリューム感の低減とを両立させにくいことに気が付いた。そこで本発明者らは、前後方向に長いヘッドランプ７１をあえて下クロス部５２の前方の空間を使って配置し、ヘッドランプ７１を配置した領域の近くに車両前部の前端１００を位置させる構成を検討し、本発明を完成させた。
【０１１６】
一見したところ、特許文献１および非特許文献１を考慮すると、その前端が上クロス部５１より前方に位置する下クロス部５２の前方の空間に前後方向に長いヘッドランプ７１を配置すると、車両前部が前後方向に大型化するように思われる。また、車両前部の前端１００を右前輪３２および左前輪３１の上端より上方に位置させると、車両前部の前縁を滑らかな直線状の形状にしにくく、空気抵抗を低減しにくいように思われる。
【０１１７】
しかし、本発明者らは、ヘッドランプ７１を下クロス部５２の上端より下方に位置させて、それにより車両前部の前端１００を下方かつ前方に突き出す形状とすることにより、車両前部のボリューム感を低減しつつ空気抵抗を低減できることに気が付き、本発明を完成させた。
【０１１８】
すなわち、本発明の一実施形態に係る傾斜可能な車体フレーム２１と２つの前輪３を備えた車両１によれば、ヘッドランプ７１の少なくとも一部は、車両１が直立した状態で、右前輪３２の右端より左方かつ左前輪３１の左端より右方に配置され、車両１の側面視において、下クロス部５２の前端より前方で、右前輪３２および左前輪３１の上端より上方、かつ、車体フレーム２１の上下方向について下クロス部５２の上端より下方に配置されている。
【０１１９】
つまり、特許文献１および非特許文献１に記載の車両に比べて、本実施形態に係る車両１のヘッドランプ７１は下クロス部５２の上端より下方の低い位置に設けられている。ヘッドランプ７１は前後方向に長いため、車両前部の前縁のうちヘッドランプ領域前縁部をより低くかつ前方の領域に位置させることができる。
【０１２０】
また、本実施形態に係る車両１によれば、ヘッドランプ７１および車体カバー２２で構成される車両前部について、車両前部の前縁は、車両１が直立した状態で、車両１の側面視において、前端から上クロス部５１より上方かつ下クロス部５２の前端より後方まで延びている。さらに、車両前部の前端１００は、車両１が直立した状態で、右前輪３２の右端より左方かつ左前輪３１の左端より右方に位置し、車両１の側面視において、下クロス部５２の前端より前方で、右前輪３２および左前輪３１の上端より上方、かつ、車体フレーム２１の上下方向について下クロス部５２の上端より下方に位置している。
【０１２１】
本実施形態に係る車両１によれば、車両前部の前端１００は、ヘッドランプ７１の少なくとも一部が配置される領域である、右前輪３２と左前輪３１の上端より上方、かつ、下クロス部５２の上端より下方の領域に配置されている。
【０１２２】
本実施形態に係る車両１においては、上述したように、車両１の側面視で、車両前部の前縁のうちヘッドランプ領域前縁部はより低くかつ前方の領域に位置されている。さらに、車両前部の前端１００はこのヘッドランプ領域前縁部と同じかそれより前方に位置するため、車両前部の前端１００を低くかつより前方の領域に位置させることができる。つまり、車両前部の前端１００を、上端に対して、前方かつ下方に大きく離間した位置に配置することができる。このため、上端から前端にかけて、車両前部の前縁を、滑らかに連続する直線状の形状としやすい。
【０１２３】
また、車両前部の前端１００が右前輪３２および左前輪３１の上端より上方に位置しているので、車両前部が上下方向にコンパクトな形状とされ、車両前部のボリューム感が低減されている。さらに、車両前部の前端は、下クロス部５２の前端より前方で、右前輪３２および左前輪３１の上端より上方、かつ、車体フレーム２１の上下方向について下クロス部５２の上端より下方に位置している。つまり、車両前部を、その前端が低い位置で前方に突き出す形状（例えば砲弾形）にしやすい。このため、車両１に搭乗したユーザの目に近い部位を小さくしやすく、よりボリューム感を小さくしやすい。
【０１２４】
以上の理由により、空力抵抗が低減されつつ、車両前部のボリューム感が小さい、ヘッドランプ７１が車体カバー２２の内部に配置された車両１が提供される。
【０１２５】
また、本実施形態に係る車両１においては、図８の（ｂ）に示したように、
車両前部の右端１０２および左端１０１は、車両１が直立した状態で、車両１の平面視において、下クロス部５２の前端より後方に位置している。
【０１２６】
車両１の平面視においても、車両前部の前端１００が右端１０２および左端１０１より前方に突き出た形状となり、空気抵抗を低減しつつ、車両前部のボリューム感が低減されている。
【０１２７】
また、本実施形態に係る車両１においては、図８の（ｂ）に示したように、
車両前部の右端１０２および左端１０１は、車両１が直立した状態で、車両１の平面視において、上クロス部５１の前端より後方に位置している。
【０１２８】
車両１の平面視においても、車両前部の前端１００が右端１０２および左端１０１よりさらに前方に突き出た形状となり、空気抵抗を低減しつつ、車両前部のボリューム感が低減されている。
【０１２９】
また、本実施形態に係る車両１においては、図８の（ｂ）に示したように、
車両前部の右端１０２および左端１０１は、車両１が直立した状態で、車両１の平面視において、下クロス部５２の後端より後方に位置している。
【０１３０】
車両１の平面視においても、車両前部の前端１００が右端１０２および左端１０１よりさらに前方に突き出た形状となり、空気抵抗を低減しつつ、車両前部のボリューム感が低減されている。
【０１３１】
また、本実施形態に係る車両１においては、図８の（ｂ）に示したように、
車両前部の右端１０２および左端１０１は、車両１が直立した状態で、車両１の平面視において、上クロス部５１の後端より後方に位置している。
【０１３２】
車両１の平面視においても、車両前部の前端１００が右端１０２および左端１０１よりさらに前方に突き出た形状となり、空気抵抗を低減しつつ、車両前部のボリューム感が低減されている。
【０１３３】
また、本実施形態に係る車両１においては、図８の（ａ）に示したように、
車両前部の前端１００は、車両１が直立した状態で、車両１の側面視において、右前輪３２および左前輪３１の前端（補助線Ｐ）より後方に位置している。補助線Ｐは、右前輪３２および左前輪３１の前端を通る鉛直線である。
【０１３４】
上述したように、車両前部の前縁が滑らかな直線状の形状とされつつ、車両前部の前後方向が短くなり、車両前部のボリューム感がより低減されている。
【０１３５】
また、本実施形態に係る車両１においては、図８の（ａ）に示したように、
ヘッドランプ７１の少なくとも一部は、車両１が直立した状態で、車両１の側面視において、車体フレーム２１の上下方向について下クロス部５２の下端（補助線Ｑ）より上方に位置している。
【０１３６】
ヘッドランプ７１の少なくとも一部が下クロス部５２の下端（補助線Ｑ）より上方に位置するので、車体フレーム２１が傾斜した場合でも、ヘッドランプ７１が前輪３と干渉しにくい。車両前部の小さい空気抵抗およびコンパクトさを維持しつつ、前輪３と干渉しにくいヘッドランプ７１を備えた車両１が提供される。
【０１３７】
また、本実施形態に係る車両１においては、図８の（ａ）に示したように、
ヘッドランプ７１の少なくとも一部は、車両１が直立した状態で、車両１の側面視において、右前輪３２および左前輪３１の回転軸線Ｚ２，Ｚ１（補助線Ｉ）より前方に位置している。
【０１３８】
ヘッドランプ７１の少なくとも一部が右前輪３２および左前輪３１の回転軸線Ｚ２，Ｚ１より前方に位置するので、車両前部の前縁のうちヘッドランプ７１の前方の部位およびそれより前方に位置する前端１００をより前方に位置させることができる。これにより、車両前部を、前端１００がさらに前方に突き出した形状としやすく、空気抵抗が小さく、かつ、車両前部のボリューム感の小さい車両１が提供される。
【０１３９】
また、本実施形態に係る車両１においては、図８の（ａ）に示すように、
ヘッドランプ７１の光源を覆うアウタカバーの少なくとも一部は、車両１の側面視で、車両前部の前縁の一部を形成している。
【０１４０】
透明または半透明のアウタカバーの少なくとも一部が車両前部の前縁の一部を形成するので、車両１の側面視で、車両前部の一部が切り欠かれたような印象を与えることができ、さらに車両前部のボリューム感が低減された車両１を提供できる。
【０１４１】
また、本実施形態に係る車両１においては、図８の（ｂ）に示すように、
車両前部は、車両１の平面視で、車両前部の右端１０２と左端１０１からヘッドランプ７１に向かって先細りとなる形状とされている。
【０１４２】
車両１の平面視においても、車両前部の前端１００が右端１０２および左端１０１より前方に突き出た先細り形状となり、空気抵抗を低減しつつ、車両前部のボリューム感が低減されている。
【０１４３】
また、本実施形態に係る車両１は、図７に示したように、
右前輪３２および左前輪３１の少なくとも一方に制動力を作用させる制動装置と、複数のブレーキ液の流路を備えてブレーキ液の流れる流路を切り替えて制動装置の動作を制御する流体ユニット８０を有する。
流体ユニット８０の少なくとも一部が、車両１が直立した状態において、鉛直方向に沿ってヘッドランプ７１と並ぶように設けられている。
【０１４４】
いずれも重たい装置である、ヘッドランプ７１と流体ユニット８０の少なくとも一部が、鉛直方向に沿って並んで配置されているため、左右方向及び前後方向について重量バランスをとりやすい。
【０１４５】
また、本実施形態に係る車両１においては、図７に示したように、
流体ユニット８０の少なくとも一部が、車両１が直立した状態で、車両１の正面視において、ヘッドランプ７１と上クロス部５１との間に設けられている。
【０１４６】
流体ユニット８０の少なくとも一部がヘッドランプ７１より上方に配置されているため、流体ユニット８０と右前輪３２および左前輪３１との干渉を避けやすい。また、流体ユニット８０の少なくとも一部が上クロス部５１より下方に配置されているため、車両１の重心が高くなりにくい。これにより、前輪３との干渉を避けつつ、車両１の重心が高くなりにくい、流体ユニット８０が搭載された車両１が提供される。
【０１４７】
＜第２実施形態＞
上述した第１実施形態においては、単一のヘッドランプ７１を搭載した車両１の例を説明したが、本発明はこの例に限られない。本発明は、複数のヘッドランプを搭載した車両１Ａにも適用できる。図９は、車両１Ａが直立した状態でかつ停車した状態における、車両１Ａの車両前部の正面図である。図１０の（ａ）は図９に示した車両１Ａの車両前部の側面図であり、図１０の（ｂ）はその平面図である。
【０１４８】
本発明の第２実施形態に係る車両１Ａは、左右方向に離間した左ヘッドランプ７４および右ヘッドランプ７５を備えている。このヘッドランプ７４，７５は、上述の第１実施形態と同様に、車両１Ａが直立しかつ無転舵の状態で、左前輪３１の回転軸線および右前輪３２の回転軸線より前方（補助線Ｉより前方）、かつ上下方向について、左前輪３１および右前輪３２の上端より上方（補助線Ｊより上方）に位置する。このように左右のヘッドランプ７４，７５は、車両１Ａの転舵および傾斜時に左前輪３１および右前輪３２と干渉しないように、車両前部の前方側に配置されている。
【０１４９】
また上下方向について少なくともヘッドランプ７４，７５の一部は下クロス部５２の上端と下端の間（補助線Ｋと補助線Ｑの間）に位置する。これにより、ヘッドランプ７４，７５とリンク機構５とを覆うフロントカバー２２１は、図１０の（ａ）に示したように下部が前方に突き出した形状となっている。
【０１５０】
図１０の（ｂ）に示したように、ヘッドランプ７４，７５の少なくとも一部は、車両１Ａが直立した状態で、右前輪３２の右端より左方（補助線Ｍより左方）かつ左前輪３１の左端より右方（補助線Ｎより右方）に配置されている。図１０の（ａ）に示したように、ヘッドランプ７４，７５の少なくとも一部は、車両１Ａの側面視において、下クロス部５２の前端より前方（補助線Ｏより前方）で、右前輪３２および左前輪３１の上端より上方（補助線Ｊより上方）に配置されている。さらに、ヘッドランプ７４，７５の少なくとも一部は、車体フレーム２１の上下方向について下クロス部５２の上端より下方（補助線Ｋより下方）に配置されている。
【０１５１】
（車両前部の外観）
図１０の（ａ）に示すように、本実施形態の車両１Ａでは、フロントカバー２２１の前端が車両前部の前端１００Ａとなる。図１０の（ａ）に示すように、この前端１００Ａは車両１Ａの側面視で、左前輪３１および右前輪３２の上端（補助線Ｊ）よりも上方、かつ、下クロス部５２の上端（補助線Ｋ）より下方に位置している。また図１０の（ｂ）に示すように、この前端１００Ａは車両１Ａの平面視で、左前輪３１と右前輪３２の間に位置している。すなわち車両前部は、左右方向の中央の下部が前方に突き出た形状とされている。
【０１５２】
また本実施形態の車両前部の前縁は図１０の（ａ）に示すように、ヘッドランプ７４，７５のアウタレンズ、フロントカバー２２１およびウィンドシールド２２９から構成されている。車両前部の前縁は車両１Ａの側面視において、上クロス部５１の上端より上方、かつ、下クロス部５２の前端より後方まで延びている。
このように車両前部の前縁は、車両前部の下方の前方に突き出た前端１００Ａから上クロス部５１の上端より上方かつ下クロス部５２の前端より後方まで延びるように形成されている。このため車両１Ａの側面視において、前方から後方に向かって車両前部の縦方向寸法が大きくなるように前縁が傾斜している。これにより車両前部は車両１Ａの側面視において、リンク機構５の上クロス部５１の前方が切り欠かれた車両前部のボリューム感の小さい形状とされている。また車両１Ａの進行方向に対する車両前部の前縁のなす角度が小さくなるので、空気抵抗の小さい車両１Ａを提供できる。
【０１５３】
図１０の（ａ）に示したように、ヘッドランプ７４，７５および車体カバー２２で構成される車両前部について、車両前部の前縁は、車両１Ａが直立した状態で、車両１Ａの側面視において、前端１００Ａから上クロス部５１より上方かつ下クロス部５２の前端より後方まで延びている。
車両前部の前端１００Ａは、車両１Ａが直立した状態で、右前輪３２の右端より左方（補助線Ｍより左方）かつ左前輪３１の左端より右方（補助線Ｎより右方）に位置する。また、図１０の（ａ）に示すように、車両前部の前端１００Ａは、車両１Ａの側面視において、下クロス部５２の前端より前方（補助線Ｏより前方）で、右前輪３２および左前輪３１の上端より上方（補助線Ｊより上方）に位置する。さらに、車両前部の前端１００Ａは、車体フレーム２１の上下方向について下クロス部５２の上端より下方（補助線Ｋより下方）に位置している。
【０１５４】
また車両１Ａの側面視で、上クロス部５１の前面を覆うフロントカバー２２１の面Ｓの水平面に対する傾斜角度が、ヘッドランプ７４，７５の上方に位置するフロントカバーの面Ｔの水平面に対する傾斜角度よりも大きい。このように車両前部の下部が車両前部から前方に突き出すことで、車両前部のボリューム感が小さくなり、また車両１Ａの空気抵抗が小さくなる。
なおヘッドランプ７４，７５のアウタレンズがその上方に回りこむように形成されていてもよい。この場合には、上クロス部５１の前面を覆うフロントカバー２２１の面Ｓの水平面に対する傾斜角度が、車両前部のヘッドランプ７４，７５の上方に位置するアウタレンズの面の水平面に対する傾斜角度よりも大きくなるように形成することが好ましい。
【０１５５】
図１０の（ｂ）に示すように、車両１Ａの平面視で見られる車両前部の左部の輪郭を車両前部の左縁と呼ぶ。また車両１Ａの平面視で見られる車両前部の右部の輪郭を車両前部の右縁と呼ぶ。車両１Ａの左縁および右縁はヘッドランプ７４，７５のアウタレンズおよびフロントカバー２２１により形成される。
車両前部の左縁は車両１Ａの平面視で、前端１００Ａから上クロス部５１の左端より左方まで延びている。車両前部の左縁の左端１０１Ａが左前輪３１より左方（補助線Ｎより左方）に位置する。車両前部の左縁の左端１０１Ａは下クロス部５２より後方に位置している。さらに車両前部の左縁の左端１０１Ａは上クロス部５１より後方に位置している。
【０１５６】
同様に、車両前部の右縁は車両１Ａの平面視で、前端１００Ａから上クロス部５１の右端より右方まで延びている。車両前部の右縁の右端１０２Ａが右前輪３２より右方（補助線Ｍより右方）に位置する。また平面視で、車両前部の右縁の右端１０２Ａは下クロス部５２より後方に位置している。さらに車両前部の右縁の右端１０２Ａは上クロス部５１より後方に位置している。
【０１５７】
このように車両１Ａの平面視において、車両前部の左右の縁は、車両前部の左右方向の中央部において前方に突出した前端１００Ａから上クロス部５１の左右の端部の外方まで延びるように形成されている。このため車両１Ａの平面視において車両前部が流線型の形状となり、車両前部のボリューム感が小さくされており、また空気抵抗が小さくされている。車両前部の左右の端部１０１Ａ，１０２Ａを上クロス部５１よりも後方に位置させると、さらに車両１Ａの進行方向に対して左縁および右縁のなす角度を小さくできるので好ましい。
【０１５８】
また図９に示した車両１Ａの正面視において、車両前部の前端１００Ａから下クロス部５２の上端までの距離Ｄ１が、下クロス部５２の上端から車両前部の上端部であるウィンドシールド２２９の上端部までの鉛直方向寸法Ｄ２より小さい。これにより、前方に突き出す車両前部の下部が小さくなるので、車両前部のボリューム感を小さくできる。
【０１５９】
また図１０の（ｂ）に示した車両１Ａの平面視において、車両前部の前端１００Ａは左ヘッドランプ７４のアウタレンズと右ヘッドランプ７５のアウタレンズとの間に位置する。これにより、左右方向の中央が前方に突き出すので、車両１Ａの平面視で車両前部は流線型となり、ボリューム感の小さい車両前部となる。
【０１６０】
また本実施形態において、流体ユニット８０の少なくとも一部は、車両１Ａの平面視で左ヘッドランプ７４と右ヘッドランプ７５の間に配置されている。流体ユニット８０は前述したように重量が大きい。重量の大きな流体ユニット８０が左右方向の中央に位置するので、重量バランスのよい車両１Ａが提供できる。
【０１６１】
本実施形態に係る車両１Ａにおいても、
ヘッドランプ７４，７５の少なくとも一部は、車両１Ａが直立した状態で、右前輪３２の右端より左方かつ左前輪３１の左端より右方に配置され、車両１Ａの側面視において、下クロス部５２の前端より前方で、右前輪３２および左前輪３１の上端より上方、かつ、車体フレーム２１の上下方向について下クロス部５２の上端より下方に配置されている。
ヘッドランプ７４，７５および車体カバー２２で構成される車両前部について、
車両前部の前縁は、車両１Ａが直立した状態で、車両１Ａの側面視において、前端から上クロス部５１より上方かつ下クロス部５２の前端より後方まで延びており、
車両前部の前端１００は、車両１Ａが直立した状態で、右前輪３２の右端より左方かつ左前輪３１の左端より右方に位置し、車両１Ａの側面視において、下クロス部５２の前端より前方で、右前輪３２および左前輪３１の上端より上方、かつ、車体フレーム２１の上下方向について下クロス部５２の上端より下方に位置している。
【０１６２】
本実施形態に係る車両１Ａにおいても、車両前部の前端１００Ａは、ヘッドランプ７４，７５の少なくとも一部が配置される領域である、右前輪３２と左前輪３１の上端より上方、かつ、下クロス部５２の上端より下方の領域に配置されている。
本実施形態に係る車両１Ａにおいては、上述したように、車両１Ａの側面視で、車両前部の前縁のうちヘッドランプ領域前縁部はより低くかつ前方の領域に位置されている。さらに、車両前部の前端１００Ａはこのヘッドランプ領域前縁部と同じかそれより前方に位置するため、車両前部の前端１００Ａを低くかつより前方の領域に位置させることができる。つまり、車両前部の前端１００Ａを、上端に対して、前方かつ下方に大きく離間した位置に配置することができる。このため、上端から前端１００Ａにかけて、車両前部の前縁を、滑らかに連続する直線状の形状としやすい。
また、車両前部の前端１００Ａが右前輪３２および左前輪３１の上端より上方に位置しているので、車両前部が上下方向にコンパクトな形状とされ、車両前部のボリューム感が低減されている。さらに、車両前部の前端は、下クロス部５２の前端より前方で、右前輪３２および左前輪３１の上端より上方、かつ、車体フレーム２１の上下方向について下クロス部５２の上端より下方に位置している。つまり、車両前部を、その前端１００Ａが低い位置で前方に突き出す形状（例えば砲弾形）にしやすい。このため、車両１Ａに搭乗したユーザの目に近い部位を小さくしやすく、よりボリューム感を小さくしやすい。
以上の理由により、空力抵抗が低減されつつ、車両前部のボリューム感がより小さい、ヘッドランプ７４，７５が車体カバー２２の内部に配置された車両１Ａが提供される。
【０１６３】
また、本実施形態に係る車両１Ａにおいて、図１０の（ａ）に示したように、
車両前部の前縁は、車両１Ａが直立した状態で、車両１Ａの側面視において、ヘッドランプ７１の上方に位置する部位Ｔの水平面に対する傾斜角が、該部位より上方に位置する部位Ｓの水平面に対する傾斜角よりも小さい形状とされている。
【０１６４】
車両１Ａの側面視において、車両前部の前縁のうち、ヘッドランプ７４，７５の上方に位置する部位Ｔが、それより上方に位置する部位Ｓよりも、水平面に対する傾斜角が小さいため、車両前部の前縁をより低い位置で前方に突き出す形状としやすい。これにより、空気抵抗がより低減された、車両前部のボリューム感の小さい車両１Ａが提供される。
【０１６５】
また、本実施形態に係る車両１Ａにおいては、図９に示したように、
車両１Ａが直立した状態で、車両１Ａの正面視において、車両前部の前端１００Ａから下クロス部５２の上端までの鉛直方向の距離Ｄ１が、下クロス部５２の上端から車両前部の上端までの鉛直方向の距離Ｄ２より小さい。
【０１６６】
車両前部の前端１００Ａから下クロス部５２の上端までの部位Ｔは、上下方向について、下クロス部５２の上端から車両前部の上端までの部位Ｓより下方に位置する。車両前部の下部に位置する、車両前部の前端１００Ａから下クロス部５２の上端までの部位Ｔが鉛直方向に小さく形成されているため、車両前部の前方に突き出す部位を小さくでき、車両前部のボリューム感が低減されている。
【０１６７】
また、本実施形態に係る車両１Ａは、図１０の（ｂ）に示したように、
車両１Ａは、車両前部の右縁の一部を形成するアウタレンズを備えた右ヘッドランプ７５と、車両前部の左縁の一部を形成するアウタレンズを備えた左ヘッドランプ７４と、を有し、
車両前部の前端１００Ａは、車両１Ａの平面視において、右ヘッドランプ７５のアウタレンズと左ヘッドランプ７４のアウタレンズとの間に位置する。
【０１６８】
車両１Ａの平面視においても、車両前部の前端１００Ａが右端１０２Ａおよび左端１０１Ａより前方に突き出た形状となり、空気抵抗を低減しつつ、車両前部のボリューム感が低減されている。
【０１６９】
また、本実施形態に係る車両１Ａは、
右前輪３２および左前輪３１の少なくとも一方に制動力を作用させる制動装置と、複数のブレーキ液の流路を備えてブレーキ液の流れる流路を切り替えて制動装置の動作を制御する流体ユニット８０と、を有する。
流体ユニット８０の少なくとも一部が、車両１Ａが直立した状態で、車両１Ａの平面視において、右ヘッドランプ７５と左ヘッドランプ７４との間に配置されている。
【０１７０】
いずれも重たい装置である、流体ユニット８０、右ヘッドランプ７５、左ヘッドランプ７４について、流体ユニット８０の少なくとも一部が右ヘッドランプ７５と左ヘッドランプ７４の間に配置されているので、左右方向について重量バランスをとりやすい。
【０１７１】
以上、本発明をその第１実施形態および第２実施形態を用いて説明したが、本発明の技術的範囲は上記実施形態に記載の範囲には限定されない。上記実施形態に多様な変更または改良を加えることができることは、当業者にとって明らかである。
【０１７２】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【０１７３】
本明細書で用いられた用語および表現は、説明のために用いられたものであって、限定的に解釈するために用いられたものではない。本明細書に示され、かつ述べられた特徴事項のいかなる均等物をも排除するものではなく、本発明のクレームされた範囲内における各種変形をも許容するものであると認識されねばならない。
【０１７４】
〈その他の変形例〉
例えば上述の第１および第２実施形態では、フロントフェンダーが車両前部を構成しない例を挙げて説明したが、フロントフェンダーがフロントカバーと一体的に形成された車両においては、車両前部はフロントフェンダーを含んで構成される。また上述した第１実施形態および第２実施形態では、ウィンドシールド２２９を備えた車両１，１Ａを説明したが、ウィンドシールド２２９を備えない車両にも本発明を適用できる。
【０１７５】
上記実施形態においては、フロントカバー２２１の前端部が車両前部の前端を構成する例を説明したが、本発明はこれに限られない。例えば、ヘッドランプ７１，７４，７５の前端が車両前部の前端構成してもよい。
【０１７６】
また縦方向に２つのヘッドランプを備えた車両にも本発明を適用できる。この場合には、縦方向に並ぶ２つのヘッドランプを左右方向の中央に配置した構造に本発明を適用すると、上述した第１実施形態のように車両前部のボリューム感が小さく、かつ空気抵抗の小さい車両を提供できる。
また、例えば、３つのヘッドランプを備えた車両にも本発明を適用できる。この場合には、上述した第１実施形態と第２実施形態とを組み合わせて、第１実施形態のように左右方向に中央に１つのヘッドランプを配置し、第２実施形態のように中央のヘッドランプの左右両側に２つのヘッドランプを配置することができる。
また４つ以上のヘッドランプを備えた車両においても、上述した第１実施形態と第２実施形態とを組み合わせることにより、車両前部のボリューム感が小さくかつ空気抵抗の小さい車両を提供することができる。
【０１７７】
ヘッドランプに含まれる光源としては、ＬＥＤ（Light Emitting Diode）素子やフィラメントバルブ、放電バルブ、レーザー光源、あるいは面発光のパネル光源（例えばＥＬ素子）などを採用できる。
ヘッドランプのアウタカバーとして、上述した実施形態のように光を屈折させるレンズ要素を含むアウタレンズを採用してもよいし、光を素通しするように構成してもよい。
【０１７８】
［鋭角］
なお、本発明および上記実施形態における鋭角とは、０°を含み９０°より小さい角度とする。本来、鋭角は、０°を含まないが、本発明および上記実施形態においては、鋭角は０°を含むものとする。また、上記実施例では、クロス部材の上軸線および下軸線と垂直に交わる仮想平面は、後方かつ上方に延びる平面である。しかしながら、これに限定されることなく、クロス部材の上軸線および下軸線と垂直に交わる仮想平面が、前方かつ上方に延びる平面であっても良い。
【０１７９】
［平行・延びる・沿う］
本明細書において、「平行」は、±４０°の範囲で傾斜し、部材として交わらない２つの直線も含む。本発明において、「方向」および「部材」等に対して「沿う」は、±４０°の範囲で傾斜する場合も含む。本発明において、「方向」に対して「延びる」は、±４０°の範囲で傾斜する場合も含む。
【０１８０】
［車輪・パワーユニット・車体カバー］
本発明に係る車両１は、傾斜可能な車体フレームと２つの前輪を備えた車両１である。後輪の数は１以上であっても良い。また、車体フレームを覆う車体カバーを備えていても良い。車体フレームを覆う車体カバーを備えていなくても良い。パワーユニットは、動力源を含む。動力源は、エンジンに限らず電動モータであっても良い。
【０１８１】
上記の実施形態においては、後輪４の車体フレーム２１の左右方向における中央は、車体フレーム２１の左右方向における左前輪３１と右前輪３２の間隔の中央と一致している。このような構成が好ましいものの、後輪４の車体フレーム２１の左右方向における中央は、車体フレーム２１の左右方向における左前輪３１と右前輪３２の間隔の中央と一致していなくてもよい。
【０１８２】
［ヘッドパイプとサイド部の位置関係］
上記各実施形態においては、車体フレーム２１の側面視で、右サイド部５４、左サイド部５３およびヘッドパイプ２１１は、重なる位置に設けられている。しかしながら、車体フレーム２１の側面視で、右サイド部５４と左サイド部５３に対しヘッドパイプ２１１が前後方向の異なる位置に設けられていてもよい。また、右サイド部５４と左サイド部５３の車体フレーム２１の上下方向に対する傾斜角度が、ヘッドパイプ２１１の傾斜角度と異なっていてもよい。
【０１８３】
［ヘッドパイプ］
なお、リンク機構を支持するヘッドパイプは、一片の部品で構成されていても、複数の部品で構成されていても良い。複数の部品で構成されている場合、溶接、接着などにより結合されていても、ボルト、リベットなどの締結部材で結合されていても良い。
本実施形態では、ステアリングシャフト６０を回転可能に支持する車体フレーム２１の一部位としてヘッドパイプ２１１を説明したが、本発明はこれに限られない。ヘッドパイプに替えて、ステアリングシャフト６０を中間操舵軸線Ｙ３回りに回転可能に支持する部材を採用できる。例えば、ステアリングシャフト６０を中間操舵軸線Ｙ３回りに回転可能に支持する軸受を含む部材を採用できる。
【０１８４】
［車体フレームの構成：一体・別体、一体の場合の前縁の上端、上下フレーム部の構成］
本実施例において、車体フレームは、ヘッドパイプと連結部材（上前後フレーム部）とダウンフレーム（上下フレーム部）とアンダーフレーム（下前後フレーム部）を有し、それらが溶接により接続されている。しかしながら、本発明の車体フレームは上記実施形態に限定されない。車体フレームは、ヘッドパイプと上前後フレーム部と上下フレーム部と下前後フレーム部を有していればよい。例えば、車体フレームは、鋳造等により全部または一部が一体に形成されていてもよい。また、車体フレームは、上前後フレーム部と上下フレーム部が１つの部材で構成されていてもよいし、別部材で構成されていてもよい。
【０１８５】
[鋭角の大きさ：ステアリングシャフトと緩衝器]
【０１８６】
上記の実施形態においては、左緩衝器３３と右緩衝器３４は、それぞれ一対のテレスコピック機構を備えている。しかしながら、車両１の仕様に応じて、左緩衝器３３と右緩衝器３４がそれぞれ備えるテレスコピック機構の数は、１つであってもよい。
本実施形態において、ステアリングシャフトの回転軸線と車体フレームの上下方向のなす鋭角は、右緩衝器および左緩衝器の伸縮方向と車体フレームの上下方向とがなす鋭角は一致している。しかしながら、本発明においては、上記実施形態に限定されない。例えば、ステアリングシャフトの回転軸線と車体フレームの上下方向のなす鋭角は、右緩衝器および左緩衝器の伸縮方向と車体フレームの上下方向とがなす鋭角よりも小さくても良いし、大きくてもよい。
【０１８７】
また、本実施形態において、ステアリングシャフトの回転軸線と右緩衝器および左緩衝器の伸縮方向は、一致している。しかしながら、本発明においては、上記実施形態に限定されない。車両１が直立した状態の側面視で、ステアリングシャフトの回転軸線と右緩衝器および左緩衝器の伸縮方向は、前後方向に離間していてもよい。また、例えば、交差していてもよい。
【０１８８】
本実施形態において、右前輪および左前輪は、その上端が車体フレームのダウンフレームの上端より車体フレームの上下方向の上方まで移動可能に支持される。しかしながら、本発明は、上記実施形態に限定されない。本発明において、右前輪および左前輪は、車体フレームの上下方向においてその上端が車体フレームのダウンフレームの上端と同じ高さまたはそれよりも下方まで移動可能であってもよい。
【０１８９】
［クロス部・サイド部］
なお、上クロス部は、一片の部品で構成される上前クロス部、一片の部品で構成される上後クロス部、およびそれらの間に設けられ、複数の部品で構成される連結部材を含んでいても良い。複数の部品で構成されている場合、溶接、接着などにより結合されていても、ボルト、リベットなどの締結部材で結合されていても良い。
【０１９０】
なお、下クロス部は、一片の部品で構成される下前クロス部、一片の部品で構成される下後クロス部、およびそれらの間に設けられ、複数の部品で構成される連結部材を含んでいても良い。複数の部品で構成されている場合、溶接、接着などにより結合されていても、ボルト、リベットなどの締結部材で結合されていても良い。
【０１９１】
なお、右サイド部および左サイド部は、一片の部品で構成されていても、複数の部品で構成されていても良い。複数の部品で構成されている場合、溶接、接着などにより結合されていても、ボルト、リベットなどの締結部材で結合されていても良い。また、上クロス部または下クロス部より車体フレームの前後方向の前方に配置される部位と後方に配置される部位を含んでいても良い。右サイド部および左サイド部の前方に配置される部位と後方に配置される部位の間に上クロス部または下クロス部が配置されても良い。
【０１９２】
なお、本発明では、リンク機構は、上クロス部と下クロス部の他にさらにクロス部を備えていても良い。上クロス部と下クロス部は、相対的な上下関係で命名しているに過ぎない。上クロス部は、リンク機構における最上位のクロス部を示していない。上クロス部は、それより下方の別のクロス部より上方にあるクロス部を意味する。下クロス部は、リンク機構における最下位のクロス部を示していない。下クロス部は、それより上方の別のクロス部より下方にあるクロス部を意味する。また、クロス部は、右クロス部と左クロス部の２つの部品で構成されていても良い。このように、上クロス部および下クロス部は、リンク機能を有する範囲で、複数のクロス部で構成しても良い。さらに、上クロス部と下クロス部の間に他のクロス部を設けても良い。リンク機構は、上クロス部および下クロス部を含んでいれば良い。
【０１９３】
本発明は、多くの異なった形態で具現化され得るものである。この開示は本発明の原理の実施形態を提供するものと見なされるべきである。それらの実施形態は、本発明をここに記載しかつ／または図示した好ましい実施形態に限定することを意図するものではないという了解のもとで、多くの図示実施形態がここに記載されている。
【０１９４】
本発明の図示実施形態を幾つかここに記載した。本発明は、ここに記載した各種の好ましい実施形態に限定されるものではない。本発明は、この開示に基づいて当業者によって認識され得る、均等な要素、修正、削除、組み合わせ（例えば、各種実施形態に跨る特徴の組み合わせ）、改良および／または変更を含むあらゆる実施形態をも包含する。クレームの限定事項はそのクレームで用いられた用語に基づいて広く解釈されるべきであり、本明細書あるいは本願のプロセキューション中に記載された実施形態に限定されるべきではない。そのような実施形態は非排他的であると解釈されるべきである。例えば、この開示において、「好ましくは」や「よい」という用語は非排他的なものであって、「好ましいがこれに限定されるものではない」や「よいがこれに限定されるものではない」ということを意味するものである。
【０１９５】
本出願の記載の一部を構成するものとして、２０１３年７月１日に提出された日本国特許出願２０１３−１３８４８８の内容を援用する。すなわち、以下に列挙する構成もまた、本出願の記載の一部を構成する。
（１）  車体フレームと、
右側に配置された右前輪と、左側に配置された左前輪と、
下部に前記右前輪を上下方向に変位可能に支持する右懸架装置と、
下部に前記左前輪を上下方向に変位可能に支持する左懸架装置と、
前記右懸架装置の上部を上下方向の軸周りに回転可能に支持する右サイド部材と、
前記左懸架装置の上部を上下方向の軸周りに回転可能に支持する左サイド部材と、
中央部が前記車体フレームに前後方向の軸周りに回転可能に支持され、右端部で前記右サイド部材の上部を前後方向の軸周りに回転可能に支持し、左端部で前記左サイド部材の上部を前後方向の軸周りに回転可能に支持する、上部リンク部材と、
中央部が前記車体フレームに前後方向の軸周りに回転可能に支持され、右端部で前記右サイド部材の下部を前後方向の軸周りに回転可能に支持し、左端部で前記左サイド部材の下部を前後方向の軸周りに回転可能に支持し、少なくとも一部が前記上部リンク部材より前方に位置する、下部リンク部材と、を有する鞍乗型車両であって、
車両が直立かつ無転舵状態で、前記右前輪および前記左前輪の回転軸線より前方、かつ、前記右前輪および前記左前輪より上方に位置し、上下方向について少なくともその一部が前記下部リンク部材の上端と下端との間に位置する、ヘッドライトと、
前記ヘッドライト、前記上部リンク部材および前記下部リンク部材の右側面の少なくとも一部、左側面の少なくとも一部および上面の少なくとも一部を覆うカバー部材と、を備え、
車両が直立かつ無転舵状態で前記ヘッドライトおよび前記カバー部材で構成される車両前部について、
前記車両前部の前端部は、車両側面視で前記右前輪および前記左前輪より上方かつ前記下部リンク部材の上端より下方に位置し、かつ、車両平面視で前記右前輪と前記左前輪の間に位置し、
前記車両前部の上縁は、車両側面視で前記前端部から前記上部リンク部材より上方かつ後方まで延び、
前記車両前部の右縁は、車両平面視で前記前端部から前記上部リンク部材の右端より右方まで延び、かつ、前記車両前部の右縁の右端部が前記右前輪より右方に位置し、
前記車両前部の左縁は、車両平面視で前記前端部から前記上部リンク部材の左端より左方まで延び、かつ、前記車両前部の左縁の左端部が前記左前輪より左方に位置している、鞍乗型車両。
【０１９６】
（２）  平面視で、前記車両前部の前記右縁の前記右端部が前記下部リンク部材より後方に位置し、前記車両前部の前記左縁の前記左端部が前記下部リンク部材より後方に位置する、（１）に記載の鞍乗型車両。
【０１９７】
（３）  平面視で、前記車両前部の前記右縁の前記右端部が前記上部リンク部材より後方に位置し、前記車両前部の前記左縁の前記左端部が前記上部リンク部材より後方に位置する、（１）または（２）に記載の鞍乗型車両。
【０１９８】
（４）  車両側面視で、少なくとも一つの前記ヘッドライトのアウタレンズは前記車両前部の前記上縁の一部を形成する、（１）から（３）のいずれか一項に記載の鞍乗型車両。
【０１９９】
（５）  車両平面視で、前記車両前部の前記右縁の前記右端部と前記左縁の前記左端部から前記ヘッドライトに向かって先細りとなるように前記車両前部が形成されている、
（１）から（４）のいずれか一項に記載の鞍乗型車両。
【０２００】
（６）  複数のブレーキ液の流路を備えてブレーキ液の流れる前記流路を切り替えて制動装置の動作を制御する流体ユニットを有し、
前記流体ユニットが前記ヘッドライトの鉛直方向に並ぶように設けられている、（１）から（５）のいずれか一項に記載の鞍乗型車両。
【０２０１】
（７）  車両平面視で、前記流体ユニットが、前記ヘッドライトと前記上部リンク部材との間に設けられている、（６）に記載の鞍乗型車両。
【０２０２】
（８）  前記ヘッドライトは、車両平面視で前記車両前部の前記右縁の一部を形成するアウタレンズを備えた右ヘッドライトと、車両平面視で前記車両前部の前記左縁の一部を形成するアウタレンズを備えた左ヘッドライトと、を有し、
車両側面視で、前記車両前部の前記上部リンク部材の前面を覆う面の水平面に対する傾斜角度が、前記車両前部の前記ヘッドライトの上方に位置する面の水平面に対する傾斜角度よりも大きい、（１）から（３）のいずれか一項に記載の鞍乗型車両。
【０２０３】
（９）  車両正面視で、前記車両前部の前記前端部から前記下部リンク部材の前記上端までの距離が、前記下部リンク部材の前記上端から前記車両前部の上端部までの鉛直方向寸法より小さい、（８）に記載の鞍乗型車両。
【０２０４】
（１０）  車両平面視で、前記車両前部の前記前端部は前記左ヘッドライトの前記アウタレンズと前記右ヘッドライトの前記アウタレンズとの間に位置する、（８）または（９）に記載の鞍乗型車両。
【０２０５】
（１１）  複数のブレーキ液の流路を備えてブレーキ液の流れる前記流路を切り替えて制動装置の動作を制御する流体ユニットを有し、
前記流体ユニットが、車両平面視で前記右ヘッドライトと前記左ヘッドライトとの間に配置されている、（８）から（１０）のいずれか一項に記載の鞍乗型車両。
【要約】
車両前部の前端（１００）およびヘッドランプ（７１）の少なくとも一部は、車両（１）が直立した状態で、右前輪（３２）の右端より左方かつ左前輪（３１）の左端より右方に位置し、車両（１）の側面視において、下クロス部（５２）の前端より前方で、右前輪（３２）および左前輪（３１）の上端より上方、かつ、車体フレーム（２１）の上下方向について下クロス部（５２）の上端より下方に位置している、車両（１）が提供される。【図１】
0005723501.tif 000002
【図２】
0005723501.tif 000003
【図３】
0005723501.tif 000004
【図４】
0005723501.tif 000005
【図５】
0005723501.tif 000006
【図６】
0005723501.tif 000007
【図７】
0005723501.tif 000008
【図８】
0005723501.tif 000009
【図９】
0005723501.tif 000010
【図１０】
0005723501.tif 000011